(57)【要約】      （修正有）【課題】片手で便利にメガネを開け、二つのメガネフレームを完全に直線に形成させ、自動的に弾きだすことができる折りたたみ式メガネを提供する。【解決手段】第１メガネフレーム１、第２メガネフレーム３を含む。第１メガネフレーム１に第１レンズ２が設けられ、第２メガネフレーム３に第２レンズ４が設けられる。第１メガネフレーム１と第１テンプル５は、第１弾性部材７を介して弾性接続される。第２メガネフレーム３と第２テンプル６は第２弾性部材８を介して弾性接続される。第１メガネフレーム１と第２メガネフレーム３の間に、ブリッジが設けられる。前記第１テンプル５と第２テンプル６の間に、メガネを完全に折りたたまれた後でメガネ折りたたみ状態を維持するロック機構１０が設けられる。使用者が片手でロック機構１０を押すのみで、メガネが弾性部材の作用により使用可能な状態となる。【選択図】図１３
0003181484.tif 000002
【実用新案登録請求の範囲】
【請求項１】
第１レンズが設けられた第１メガネフレームと、第２レンズ、第１テンプル及び第２テンプルが設けられた第２メガネフレームとを備える自動的に開く折りたたみ式メガネであって、前記第１テンプルと第１メガネフレームとが接続する端の幅は、前記第１レンズの幅以上であり、その形状は第１レンズの形状と対応し、前記第２テンプルと第１メガネフレームとが接続する端の幅は、前記第２レンズの幅以上であり、その形状は第２レンズの形状と対応し、前記第１メガネフレームと第１テンプルは第１弾性部材を介して弾性接続され、前記第２メガネフレームと第２テンプルは第２弾性部材を介して弾性接続される自動的に開く折りたたみ式メガネにおいて、
ブリッジを更に含み、前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、前記第１ブリッジコネクタに第１水平スロットを設け、前記第２ブリッジコネクタに第２水平スロットを設け、前記第１テンションスプリングは第１水平スロットに設け、第１テンションスプリングの内端では第１ブリッジコネクタと可動連結され、前記第２テンションスプリングは第２水平スロットに設けられ、第２テンションスプリングの内端が第２ブリッジコネクタと可動連結され、前記ミドルウェアは第１ブリッジコネクタと第２ブリッジコネクタの間にあり、前記ミドルウェアの両側に、それぞれメガネフレーム法線と垂直する第１接続穴と第２接続穴を設け、第１接続穴に第１接続ピンを設け、第１テンションスプリングの外端は第１接続ピンにつけられ、第２接続穴に第２接続ピンがもうけられ、第２テンションスプリングの外端は第２接続ピンにつけられ、ミドルウェアの両側が平面であり、ミドルウェアの２側面と隣接する側面が円弧面であり、第１接続穴又は第２接続穴から対応の円弧面までの半径が第１接続穴又は第２接続穴から対応の平面までの半径よりも大きく、メガネが完全に弾きだす場合、第１ブリッジコネクタ自由端の端面１とミドルウェアの一方側の平面と接触し、第１テンションスプリングが収縮状態であり、第２ブリッジコネクタ自由端の端面がミドルウェアの他方側の面と接触し、第２テンションスプリングが収縮状態であり、メガネが完全に折りたたまれた時、第１ブリッジコネクタ自由端の端面１とミドルウェアの一方側の円弧面と線接触し、第１テンションスプリングが拡張状態であり、第２ブリッジコネクタ自由端の端面がミドルウェアの他方側の円弧面と線接触し、第２テンションスプリングが拡張状態であり、第１テンプルと第２テンプルの間において、メガネが完全に折りたたまれた後のメガネ折りたたみ状態を維持するロック機構が上、下対称でそれぞれ設けられる
ことを特徴とする自動的に開く折りたたみ式メガネ。
【請求項２】
請求項１に記載の自動的に開く折りたたみ式メガネにおいて、
前記第１水平スロットに第１スライダーが設けられ、第１スライダー外端に第１スライダー接続穴が設けられ、第１スライダーに第１横方向スルーホールが設けられ、第１テンションスプリングが第１横方向スルーホールを通し第１接続ピンにつけられ、第２水平スロットに第２スライダーが設けられ、第２スライダー外端に第２スライダー接続穴が設けられ、第２スライダーに第２横方向スルーホールが設けられ、第２テンションスプリングが第２横方向スルーホールを通し第２接続ピンにつけられる
ことを特徴とする自動的に開く折りたたみ式メガネ。
【請求項３】
請求項１又は２に記載の自動的に開く折りたたみ式メガネにおいて、
前記第１ブリッジコネクタの内側に第１ノーズパッドが設けられ、第１ノーズパッドは第１スライダーと第１テンションスプリングをカバーし、第２ブリッジコネクタの内側に第２ノーズパッドが設けられ、第２ノーズパッドは第２スライダーと第２テンションスプリングをカバーする
ことを特徴とする自動に開く折りたたみ式メガネ。
【請求項４】
請求項３に記載の自動的に開く折りたたみ式メガネにおいて、
前記ロック機構は前記第１テンプルの上側及び下側に、内側に延伸するフックをそれぞれ設け、前記第２テンプルにおいて第１テンプルに対応するフックの位置に、それぞれフック穴が設けられ、メガネが折りたたまれた時、前記フックはちょうど前記フック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れ、或いは、前記ロック機構は第２テンプルの上側及び下側に、内側に延伸するフックをそれぞれ設け、前記第１テンプルにおいて第２テンプルに対応するフックの位置に、それぞれフック穴が設けられ、メガネが折りたたまれる時、フックはちょうどフック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れる
ことを特徴とする自動に開く折りたたみ式メガネ。
【請求項５】
請求項３に記載の自動的に開く折りたたみ式メガネにおいて、
前記ロック機構は前記第２テンプルの上側や下側に、内側に延伸するフックをそれぞれ設け、前記フックのフック耳は全て外側に向かい、前記第１テンプルの内壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第２テンプルの側面を押す場合、前記フック耳とフックスロット又はフック穴が離れ、或いは、前記ロック機構は前記第１テンプルの上側や下側に、内側に延伸するフックをそれぞれ設け、前記フックのフック耳は全て外側に向かい、前記第２テンプルの内壁において第１テンプルのフックに対応する位置に、それぞれフックスロットまたはフック穴が設けられ、メガネが折りたたまれる時、前記フックはちょうど前記フックスロットまたはフック穴に掛けられ、直接に内側へ第１テンプルの側面を押す場合、前記フック耳とフックスロット又はフック穴が離れる
ことを特徴とする自動に開く折りたたみ式メガネ。
【請求項６】
請求項３に記載の自動的に開く折りたたみ式メガネにおいて、
前記ロック機構の構造は前記第２テンプルの上側や下側に内側に延伸するフックをそれぞれ設け、前記フックのフック耳は全て内側に向かい、前記第１テンプルの外壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第１テンプル側面を押す時、前記フック耳とフックスロット又はフック穴が離れ、或いは、前記ロック機構は前記第２テンプルの上側や下側に内側に延伸するフックをそれぞれ設け、前記フックのフック耳は全て内側に向かい、前記第１テンプルの外壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第２テンプルの側面を押す時、前記フック耳と前記フックスロット又はフック穴が離れる
ことを特徴とする自動に開く折りたたみ式メガネ。
【請求項７】
請求項３に記載の自動的に開く折りたたみ式メガネにおいて、
前記ロック機構の構造は前記第２テンプルの上側や下側に内側に延伸するフックをそれぞれ設け、前記フックのフック耳は全て内側に向かい、前記第１テンプルの外側面において前記フックを押し開き押開機構が設けられ、前記押開機構は、対称設置されている二つのアークレバーを含み、アークレバーの一方端が押開部であり、アークレバーの他方端が押し部であり、アークレバーの中部に支点を設け、支点にピンまたはネジを使って、アークレバーを第１テンプルの外側面に可動接続され、メガネが折りたたまれる時、前記フックのフック耳は前記第１テンプルの外側面に掛けて、前記押開部に対応し、メガネを開く場合、手でアークレバーの押し部を押した後、アークレバーの押開部がフックを押し開き、メガネが自動的に弾きだし、二つのアークレバーの間、押し部の近くの片側にスプリングを設け、スプリングの両端をそれぞれ二つのアークレバーに掛けられ、或いは、前記ロック機構の構造が、前記第１テンプルの上側や下側に内側に延伸するフックをそれぞれ設け、前記フックのフック耳は全て内側に向かい、前記第２テンプルの外側面において前記フックを押し開き押開機構が設けられ、前記押開機構は、対称設置されている二つのアークレバーを含み、アークレバーの一方端が押開部であり、アークレバーの他方端が押し部であり、アークレバーの中部に支点を設け、支点にピンまたはネジを使って、アークレバーを第２テンプルの外側面に可動接続され、メガネが折りたたまれる時、前記フックのフック耳は前記第２テンプルの外側面に掛けて、前記押開部に対応し、メガネを開く場合、手でアークレバーの押し部を押した後、アークレバーの押開部がフックを押し開き、メガネが自動的に弾きだし、二つのアークレバーの間、押開部の近くの片側にスプリングを設け、スプリングの両端をそれぞれ二つのアークレバーに掛けられる
ことを特徴とする自動に開く折りたたみ式メガネ。
【請求項８】
第１レンズが設けられた第１メガネフレームと、第２レンズ、第１テンプル及び第２テンプルが設けられた第２メガネフレームとを備える自動的に開く折りたたみ式メガネであって、前記第１テンプルと第１メガネフレームとが接続する端の幅は、前記第１レンズの幅以上であり、その形状は第１レンズの形状と対応し、前記第２テンプルと第１メガネフレームとが接続する端の幅は、前記第２レンズの幅以上であり、その形状は第２レンズの形状と対応し、前記第１メガネフレームと第１テンプルは第１弾性部材を介して弾性接続され、前記第２メガネフレームと第２テンプルは第２弾性部材を介して弾性接続される自動的に開く折りたたみ式メガネにおいて、
ブリッジを更に含み、前記ブリッジは、第１ブリッジコネクタ、第２ブリッジコネクタ、第１テンションスプリング、第２テンションスプリング、及びミドルウェアを含み、前記第１ブリッジコネクタは第１上接続シートと第１下接続シートを含み、前記第１上接続シートと第１下接続シートが一定間隔を隔てて平行に前記第１第１メガネフレームの内側に固定され、前記第１上接続シートと第１下接続シートに第１ブリッジコネクタ枢設接続孔が設けられ、前記第１圧縮コイルバネを前記第１上接続シートと第１下接続シートの間に設け、第１圧縮コイルバネの内側端が第１第１メガネフレームとを固定接続され、第１圧縮コイルバネの外側端に第１上接続シートと第１下接続シートの間に可動の第１スライダーが設けられ、前記第２ブリッジコネクタは第２上接続シートと第２下接続シートを含み、前記第２上接続シートと第２下接続シートが一定間隔を隔てて平行に前記第１第２メガネフレームの内側に固定され、前記接続シートと第２下接続シートに第２ブリッジコネクタ枢設接続孔を設け、前記第２圧縮コイルバネを前記第２上接続シートと第２下接続シートの間に設け、第２圧縮コイルバネの内側端が第２メガネフレームとを固定接続され、第２圧縮コイルバネの外側端に第２上接続シートと第２下接続シートの間に摺動可能な第２スライダーを設け、前記ミドルウェアは前記第１ブリッジコネクタと第２ブリッジコネクタの間にあり、前記ミドルウェアの両側にメガネフレーム法線と垂直する第１枢設接続孔と第２枢設接続孔をそれぞれ設け、第１枢設接続孔に第１ブリッジコネクタとミドルウェアの第１かなめピンを設け、第２枢設接続孔に第２ブリッジコネクタとミドルウェアとを枢設接続される第２かなめピンを設け、前記ミドルウェアの両側が平面になり、両側面と隣接される側面は円弧面になり、第１枢設接続孔または第２枢設接続孔からその対応する円弧面までの半径が第１枢設接続孔または第２枢設接続孔からその対応する円弧面までの半径より大きく、前記メガネが完全に弾きだす時に、前記第１スライダーが前記ミドルウェアの側面と面接触し、前記第１圧縮コイルバネが伸長状態となり、前記第２スライダーが前記ミドルウェアの別の側面と面接触し、前記第２圧縮コイルバネが伸長状態とない、前記メガネが完全に折りたたまれる時に、前記第１スライダーが前記ミドルウェアの一方側の円弧面と線接触し、前記第１圧縮コイルバネが圧縮状態となり、前記第２スライダーが前記ミドルウェアの他方側の円弧面と線接触し、前記第２圧縮コイルバネが圧縮状態となり、前記第１テンプルが第２テンプルの間において、メガネを完全に折りたたまれた後でメガネ折りたたみ状態を維持するロック機構を上下対称に設ける
ことを特徴とする自動的に開く折りたたみ式メガネ。
【請求項９】
請求項８に記載の自動的に開く折りたたみ式メガネにおいて、
第１滑り片がミドルウェアと隣接する一方側に第１球欠が設けられ、ミドルウェアの第１球欠に対応する位置に第１凹面が設けられ、第２滑り片がミドルウェアと隣接する一方側に第２球欠が設けられ、ミドルウェアの第２球欠に対応する位置に第２凹面が設けられ、メガネが完全に開く時、第１球欠が第１凹面に当接し、第２球欠が第２凹面に当接する
ことを特徴とする自動に開く折りたたみ式メガネ。
【請求項１０】
請求項８または９に記載の自動的に開く折りたたみ式メガネにおいて、
前記ロック機構は前記第１テンプルの上側及び下側に、内側に延伸するフックをそれぞれ設け、前記第２テンプルにおいて第１テンプルに対応するフックの位置に、それぞれフック穴が設けられ、メガネが折りたたまれた時、前記フックはちょうど前記フック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れ、或いは、前記ロック機構は第２テンプルの上側及び下側に、内側に延伸するフックをそれぞれ設け、前記第１テンプルにおいて第２テンプルに対応するフックの位置に、それぞれフック穴が設けられ、メガネが折りたたまれる時、フックはちょうどフック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れる
ことを特徴とする自動に開く折りたたみ式メガネ。
【請求項１１】
請求項８または９に記載の自動的に開く折りたたみ式メガネにおいて、
前記ロック機構は前記第２テンプルの上側や下側に、内側に延伸するフックをそれぞれ設け、前記フックのフック耳は全て外側に向かい、前記第１テンプルの内壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第２テンプルの側面を押す場合、前記フック耳とフックスロット又はフック穴が離れ、或いは、前記ロック機構は前記第１テンプルの上側や下側に、内側に延伸するフックをそれぞれ設け、前記フックのフック耳は全て外側に向かい、前記第２テンプルの内壁において第１テンプルのフックに対応する位置に、それぞれフックスロットまたはフック穴が設けられ、メガネが折りたたまれる時、前記フックはちょうど前記フックスロットまたはフック穴に掛けられ、直接に内側へ第１テンプルの側面を押す場合、前記フック耳とフックスロット又はフック穴が離れる
ことを特徴とする自動に開く折りたたみ式メガネ。
【請求項１２】
請求項８または９による自動的に開く折りたたみ式メガネにおいて、
前記ロック機構の構造は前記第２テンプルの上側や下側に内側に延伸するフックをそれぞれ設け、前記フックのフック耳は全て内側に向かい、前記第１テンプルの外壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第１テンプル側面を押す時、前記フック耳とフックスロット又はフック穴が離れ、或いは、前記ロック機構は前記第２テンプルの上側や下側に内側に延伸するフックをそれぞれ設け、前記フックのフック耳は全て内側に向かい、前記第１テンプルの外壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第２テンプルの側面を押す時、前記フック耳と前記フックスロット又はフック穴が離れる
ことを特徴とする自動に開く折りたたみ式メガネ。
【請求項１３】
請求項８または９に記載の自動的に開く折りたたみ式メガネにおいて、
前記ロック機構の構造は前記第２テンプルの上側や下側に内側に延伸するフックをそれぞれ設け、前記フックのフック耳は全て内側に向かい、前記第１テンプルの外側面において前記フックを押し開き押開機構が設けられ、前記押開機構は、対称設置されている二つのアークレバーを含み、アークレバーの一方端が押開部であり、アークレバーの他方端が押し部であり、アークレバーの中部に支点を設け、支点にピンまたはネジを使って、アークレバーを第１テンプルの外側面に可動接続され、メガネが折りたたまれる時、前記フックのフック耳は前記第１テンプルの外側面に掛けて、前記押開部に対応し、メガネを開く場合、手でアークレバーの押し部を押した後、アークレバーの押開部がフックを押し開き、メガネが自動的に弾きだし、二つのアークレバーの間、押し部の近くの片側にスプリングを設け、スプリングの両端をそれぞれ二つのアークレバーに掛けられ、或いは二つのアークレバーの間、押開部の近くの片側にスプリングを設け、スプリングの両端をそれぞれ二つのアークレバーに掛けられる
ことを特徴とする自動に開く折りたたみ式メガネ。
【請求項１４】
第１レンズが設けられた第１メガネフレームと、第２レンズ、第１テンプル及び第２テンプルが設けられた第２メガネフレームとを備える自動的に開く折りたたみ式メガネであって、前記第１テンプルと第１メガネフレームとが接続する端の幅は、前記第１レンズの幅以上であり、その形状は第１レンズの形状と対応し、前記第２テンプルと第１メガネフレームとが接続する端の幅は、前記第２レンズの幅以上であり、その形状は第２レンズの形状と対応し、前記第１メガネフレームと第１テンプルは第１弾性部材を介して弾性接続され、前記第２メガネフレームと第２テンプルは第２弾性部材を介して弾性接続される自動的に開く折りたたみ式メガネにおいて、
ブリッジを更に含み、前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、先端面と隣接する側面が円弧面であり、第１ブリッジコネクタ自由端にメガネフレーム法線と垂直する第１ブリッジコネクタ枢設接続孔を設け、前記第１ブリッジコネクタ枢設接続孔からその対応する円弧面までの半径がその平面までの半径より大きく、前記第２ブリッジコネクタ自由端にメガネフレーム法線と垂直する第２ブリッジコネクタ枢設接続孔を設け、前記第２ブリッジコネクタ枢設接続孔からその対応する円弧面までの半径がその平面までの半径より大きく、前記ミドルウェアは前記第１ブリッジコネクタと第２ブリッジコネクタの間にあり、前記ミドルウェアに横スロットを設け、前記横スロットに水平方向の取付状態での圧縮バネを設け、その圧縮バネの両側に第１スライダーと第２スライダーをそれぞれ設け、前記ミドルウェアの両側にメガネフレーム法線と垂直する第１枢設接続孔と第２枢設接続孔を設け、第１枢設接続孔にミドルウェアと第１ブリッジコネクタを枢設接続する第１かなめピンを設け、第２枢設接続孔にミドルウェアと第２ブリッジコネクタを枢設接続する第２かなめピンを設け、前記メガネが完全に弾きだす場合には、前記第１ブリッジコネクタ自由端の平面が前記第１スライダーと面接触し、前記第２ブリッジコネクタ自由端の平面が前記第２スライダーと面接触し、前記水平方向の取付状態での圧縮バネが伸長状態となり、前記メガネが完全に折りたたまれる場合には、前記第１ブリッジコネクタ自由端の円弧面が前記第１スライダーと線接触し、前記第２ブリッジコネクタ自由端の円弧面が前記第２スライダーと線接触し、前記水平方向の取付状態での圧縮バネが圧縮状態となり、前記第１テンプルが第２テンプルの間において、メガネを完全に折りたたまれた後でメガネ折りたたみ状態を維持するロック機構を上下対称に設ける
ことを特徴とする自動的に開く折りたたみ式メガネ。
【請求項１５】
請求項１４に記載の自動的に開く折りたたみ式メガネにおいて、
第１滑り片の外側に第１球欠があり、第１ブリッジコネクタの第１球欠に対応する位置に、第１凹面があり、第２滑り片の外側に第２球欠があり、第２ブリッジコネクタの第２球欠に対応する位置に、第２凹面があり、メガネが完全に開く時、第１球欠が第１凹面に当接し、第２球欠が第２凹面に当接する
ことを特徴とする自動に開く折りたたみ式メガネ。
【請求項１６】
請求項１４又は１５に記載の自動的に開く折りたたみ式メガネにおいて、
前記ロック機構は前記第１テンプルの上側及び下側に、内側に延伸するフックをそれぞれ設け、前記第２テンプルにおいて第１テンプルに対応するフックの位置に、それぞれフック穴が設けられ、メガネが折りたたまれた時、前記フックはちょうど前記フック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れ、或いは、前記ロック機構は第２テンプルの上側及び下側に、内側に延伸するフックをそれぞれ設け、前記第１テンプルにおいて第２テンプルに対応するフックの位置に、それぞれフック穴が設けられ、メガネが折りたたまれる時、フックはちょうどフック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れる
ことを特徴とする自動に開く折りたたみ式メガネ。
【請求項１７】
請求項１４又は１５に記載の自動的に開く折りたたみ式メガネにおいて、
前記ロック機構は前記第２テンプルの上側や下側に、内側に延伸するフックをそれぞれ設け、前記フックのフック耳は全て外側に向かい、前記第１テンプルの内壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第２テンプルの側面を押す場合、前記フック耳とフックスロット又はフック穴が離れ、或いは、前記ロック機構は前記第１テンプルの上側や下側に、内側に延伸するフックをそれぞれ設け、前記フックのフック耳は全て外側に向かい、前記第２テンプルの内壁において第１テンプルのフックに対応する位置に、それぞれフックスロットまたはフック穴が設けられ、メガネが折りたたまれる時、前記フックはちょうど前記フックスロットまたはフック穴に掛けられ、直接に内側へ第１テンプルの側面を押す場合、前記フック耳とフックスロット又はフック穴が離れる
ことを特徴とする自動に開く折りたたみ式メガネ。
【請求項１８】
請求項１４又は１５に記載の自動的に開く折りたたみ式メガネにおいて、
前記ロック機構の構造は前記第２テンプルの上側や下側に内側に延伸するフックをそれぞれ設け、前記フックのフック耳は全て内側に向かい、前記第１テンプルの外壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第１テンプル側面を押す時、前記フック耳とフックスロット又はフック穴が離れ、或いは、前記ロック機構は前記第２テンプルの上側や下側に内側に延伸するフックをそれぞれ設け、前記フックのフック耳は全て内側に向かい、前記第１テンプルの外壁において第２テンプルのフックに対応する位置に、それぞれフックスロットまたはフック穴が設けられ、メガネが折りたたまれる時、前記フックはちょうど前記フックスロットまたはフック穴に掛けられ、直接に内側へ第２テンプルの側面を押す時、前記フック耳と前記フックスロット又はフック穴が離れる
ことを特徴とする自動に開く折りたたみ式メガネ。
【請求項１９】
請求項１４又は１５に記載の自動的に開く折りたたみ式メガネにおいて、
前記ロック機構の構造は前記第２テンプルの上側や下側に内側に延伸するフックをそれぞれ設け、前記フックのフック耳は全て内側に向かい、前記第１テンプルの外側面において前記フックを押し開き押開機構が設けられ、前記押開機構は、対称設置されている二つのアークレバーを含み、アークレバーの一方端が押開部であり、アークレバーの他方端が押し部であり、アークレバーの中部に支点を設け、支点にピンまたはネジを使って、アークレバーを第１テンプルの外側面に可動接続され、メガネが折りたたまれる時、前記フックのフック耳は前記第１テンプルの外側面に掛けて、前記押開部に対応し、メガネを開く場合、手でアークレバーの押し部を押した後、アークレバーの押開部がフックを押し開き、メガネが自動的に弾きだし、二つのアークレバーの間、押開部の近くの片側にスプリングを設け、スプリングの両端をそれぞれ二つのアークレバーに掛けられ、或いは、前記ロック機構の構造が、前記第１テンプルの上側や下側に内側に延伸するフックをそれぞれ設け、前記フックのフック耳は全て内側に向かい、前記第２テンプルの外側面において前記フックを押し開き押開機構が設けられ、前記押開機構は、対称設置されている二つのアークレバーを含み、アークレバーの一方端が押開部であり、アークレバーの他方端が押し部であり、アークレバーの中部に支点を設け、支点にピンまたはネジを使って、アークレバーを第２テンプルの外側面に可動接続され、メガネが折りたたまれる時、前記フックのフック耳は前記第２テンプルの外側面に掛けて、前記押開部に対応し、メガネを開く場合、手でアークレバーの押し部を押した後、アークレバーの押開部がフックを押し開き、メガネが自動的に弾きだし、二つのアークレバーの間、押開部の近くの片側にスプリングを設け、スプリングの両端をそれぞれ二つのアークレバーに掛けられる
ことを特徴とする自動に開く折りたたみ式メガネ。
【請求項２０】
第１レンズが設けられた第１メガネフレームと、第２レンズ、第１テンプル及び第２テンプルが設けられた第２メガネフレームとを備える自動的に開く折りたたみ式メガネであって、前記第１テンプルと第１メガネフレームとが接続する端の幅は、前記第１レンズの幅以上であり、その形状は第１レンズの形状と対応し、前記第２テンプルと第１メガネフレームとが接続する端の幅は、前記第２レンズの幅以上であり、その形状は第２レンズの形状と対応し、前記第１メガネフレームと第１テンプルは第１弾性部材を介して弾性接続され、前記第２メガネフレームと第２テンプルは第２弾性部材を介して弾性接続される自動的に開く折りたたみ式メガネにおいて、
前記第１ガネフレームが第２メガネフレームとヒンジ接続され、ヒンジにおいて前記第１メガネフレームと第２メガネフレームが一直線である状態を維持する位置決め機構を設ける、かつ、前記第１テンプルと第２テンプルとの間にメガネが完全に折りたたまれた後でメガネ折りたたみ状態を維持するロック機構を設ける
ことを特徴とする自動的に開く折りたたみ式メガネ。
【請求項２１】
請求項２０に記載の自動的に開く折りたたみ式メガネにおいて、
前記位置決め機構の構造は、位置決め用スプリングを含み、前記位置決め用スプリングはヒンジ軸にかぶせられてナットによって圧締められ、ヒンジの一方側における接続部とヒンジの他方側の接続部と接触する底面に２対の突起と凹面をそれぞれ設け、一対の突起と凹面のサイズが他の対の突起と凹面のサイズとは異なり、メガネが完全に弾きだす場合、サイズが対応する突起がちょうど凹面に係合され、前記第１メガネフレームと第２メガネフレームを直線状態に維持し、メガネが締められるまたは折りたたむ時に、前記突起が凹面に対して一定の角度で回動し、大きな突起が小さな凹面に入らず、小さな突起が大きな凹面に入り、両者はサイズが異なることにより、ロック効果を有しない
ことを特徴とする自動的に開く折りたたみ式メガネ。
【請求項２２】
請求項２０に記載の自動的に開く折りたたみ式メガネにおいて、
前記位置決め機構のバネをヒンジと第２メガネフレームと接続する接続部の縦収納孔に設け、スプリングの下にスチールボールを設け、ヒンジの第１メガネフレームとの接続部において前記スチールボールに対応する位置に凹面を設け、スプリングの上端が端末カバーによって密閉され、前記第１メガネフレームと第２メガネフレームが直線になる時には、前記スチールボールがスプリングの作用によりちょうど前記凹面に当接し、第１メガネフレームと第２メガネフレームに対して位置決めを行い、第１メガネフレームと第２メガネフレームの直線状態を維持し、前記スプリング、スチールボールと凹面は２セット設けられ、１セットのスプリング、スチールボールと凹面のサイズが別の１セットのサイズと異なり、前記メガネが完全に開く場合には、サイズの対応するスチールボールがちょうど凹面に係合され、前記第１メガネフレームと第２メガネフレームの直線状態を維持し、メガネが締められる又は折りたたむ時に、前記スチールボールが前記凹面に対して一定の角度で回転し、大きな突起が小さな凹面に入らず、ロック効果を有しない
ことを特徴とする請求項２０に記載の自動的に開く折りたたみ式メガネ。
【請求項２３】
請求項２０に記載の自動的に開く折りたたみ式メガネにおいて、
前記位置決め機構は前記ヒンジにおいてノーズパッド側に位置する接続部が前記ヒンジの他方の接続部に向かって延伸して形成した延伸平面であり、該延伸平面の内側に第１磁器シートまたは第１鉄片を設け、他方の接続部において前記延伸平面に対する平面において第１磁器シートとは磁性が逆の第２磁器シートを設け、前記第１メガネフレームと第２メガネフレームが直線状態になる時に、前記第２磁器シートと第１磁器シートまたは第１鉄片とオーバーラップして吸着し、前記第１メガネフレームと第２メガネフレームに対して位置決めをする
ことを特徴とする自動的に開く折りたたみ式メガネ。
【請求項２４】
請求項２０〜２３の何れか一項に記載の自動的に開く折りたたみ式メガネにおいて、
前記第１テンプルの内壁に、内側に凹み第１レンズを収納するための第１レンズ保護枠を設けるとともに、第２テンプルの内壁に、内側に凹み第２レンズを収納するための第２レンズ保護枠を設け、メガネが完全に折りたたんだ後、レンズの磨耗を防ぐために第１レンズと第２レンズの上下レンズを完全に保護枠に包む
ことを特徴とする自動的に開く折りたたみ式メガネ。
【考案の詳細な説明】
【技術分野】
【０００１】
本発明は、折りたたみ式メガネに関し、特に片手だけで開けるものであり、自動的に開く折りたたみ式メガネに関する。
【背景技術】
【０００２】
例えば運転する時、銀行や空港に行く場合には、使用者は時々片手だけ空いている。この場合には、メガネを開け難い。この問題を解決するために、本発明者は２つの中国特許出願を提出し、出願番号はそれぞれ２００８１０２１７８４６．５と２００９１０１３３４２９．７である。これらの発明は、名称が「自動的に開く折りたたみ式メガネ」であり、三つの弾性部材を使用し、それぞれがテンプルやメガネフレーム、及びメガネフレームやメガネフレームと接続し、片手で折りたたみ式メガネを完全に開けることを実現した。しかし、このメガネについて、実際の応用において、二つのメガネフレームを完全に直線に弾かせることができない。ほとんどの場合は、Ｍ字までしか開けないため、便利ではない。
【考案の概要】
【考案が解決しようとする課題】
【０００３】
本発明は、上記の欠点を克服し、片手で便利にメガネを開け、二つのメガネフレームを完全に直線に形成させ、自動的に弾きだすことができる折りたたみ式メガネを提供することを目的とする。
本発明のもう一つの目的は、本発明が別にメガネケースを準備する必要がないことである。
【課題を解決するための手段】
【０００４】
本発明は、以下の形態で実現することができる。即ち、第１レンズが設けられた第１メガネフレームと、第２レンズ、第１テンプル及び第２テンプルが設けられた第２メガネフレームとを備える自動的に開く折りたたみ式メガネであって、前記第１テンプルと第１メガネフレームとが接続する端の幅は、前記第１レンズの幅以上であり、その形状は第１レンズの形状と対応し、前記第２テンプルと第１メガネフレームとが接続する端の幅は、前記第２レンズの幅以上であり、その形状は第２レンズの形状と対応し、前記第１メガネフレームと第１テンプルは第１弾性部材を介して弾性接続され、前記第２メガネフレームと第２テンプルは第２弾性部材を介して弾性接続され、更にブリッジを含み、前記ブリッジは第１メガネフレームと第２メガネフレームの間にあり、弾性の橋の役割を果たす。
本発明のブリッジは、以下の形態がある。
第１の形態では、前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、前記第１ブリッジコネクタに第１水平スロットを設け、前記第２ブリッジコネクタに第２水平スロットを設け、前記第１テンションスプリングは第１水平スロットに設け、第１テンションスプリングの内端では第１ブリッジコネクタと可動連結され、前記第２テンションスプリングは第２水平スロットに設けられ、第２テンションスプリングの内端が第２ブリッジコネクタと可動連結され、前記ミドルウェアは第１ブリッジコネクタと第２ブリッジコネクタの間にあり、前記ミドルウェアの両側に、それぞれメガネフレーム法線と垂直する第１接続穴と第２接続穴を設け、第１接続穴に第１接続ピンを設け、第１テンションスプリングの外端は第１接続ピンにつけられ、第２接続穴に第２接続ピンがもうけられ、第２テンションスプリングの外端は第２接続ピンにつけられ、ミドルウェアの両側が平面であり、ミドルウェアの２側面と隣接する側面が円弧面であり、第１接続穴又は第２接続穴から対応の円弧面までの半径が第１接続穴又は第２接続穴から対応の平面までの半径よりも大きく、メガネが完全に弾きだす場合、第１ブリッジコネクタ自由端の端面１とミドルウェアの一方側の平面と接触し、第１テンションスプリングが収縮状態であり、第２ブリッジコネクタ自由端の端面がミドルウェアの他方側の面と接触し、第２テンションスプリングが収縮状態であり、メガネが完全に折りたたまれた時、第１ブリッジコネクタ自由端の端面１とミドルウェアの一方側の円弧面と線接触し、第１テンションスプリングが拡張状態であり、第２ブリッジコネクタ自由端の端面がミドルウェアの他方側の円弧面と線接触し、第２テンションスプリングが拡張状態であり、第１テンプルと第２テンプルの間において、メガネが完全に折りたたまれた後のメガネ折りたたみ状態を維持するロック機構が上、下対称でそれぞれ設けられる
第１の形態において、前記第１水平スロットに第１スライダーが設けられ、第１スライダー外端に第１スライダー接続穴が設けられ、第１スライダーに第１横方向スルーホールが設けられ、第１テンションスプリングが第１横方向スルーホールを通し第１接続ピンにつけられ、第２水平スロットに第２スライダーが設けられ、第２スライダー外端に第２スライダー接続穴が設けられ、第２スライダーに第２横方向スルーホールが設けられ、第２テンションスプリングが第２横方向スルーホールを通し第２接続ピンにつけられる。
第１形態において、前記第１ブリッジコネクタの内側に第１ノーズパッドが設けられ、第１ノーズパッドは第１スライダーと第１テンションスプリングをカバーし、第２ブリッジコネクタの内側に第２ノーズパッドが設けられ、第２ノーズパッドは第２スライダーと第２テンションスプリングをカバーする。
第２の形態では、前記ブリッジは、第１ブリッジコネクタ、第２ブリッジコネクタ、第１テンションスプリング、第２テンションスプリング、及びミドルウェアを含み、前記第１ブリッジコネクタは第１上接続シートと第１下接続シートを含み、前記第１上接続シートと第１下接続シートが一定間隔を隔てて平行に前記第１第１メガネフレームの内側に固定され、前記第１上接続シートと第１下接続シートに第１ブリッジコネクタ枢設接続孔が設けられ、前記第１圧縮コイルバネを前記第１上接続シートと第１下接続シートの間に設け、第１圧縮コイルバネの内側端が第１第１メガネフレームとを固定接続され、第１圧縮コイルバネの外側端に第１上接続シートと第１下接続シートの間に可動の第１スライダーが設けられ、前記第２ブリッジコネクタは第２上接続シートと第２下接続シートを含み、前記第２上接続シートと第２下接続シートが一定間隔を隔てて平行に前記第１第２メガネフレームの内側に固定され、前記接続シートと第２下接続シートに第２ブリッジコネクタ枢設接続孔を設け、前記第２圧縮コイルバネを前記第２上接続シートと第２下接続シートの間に設け、第２圧縮コイルバネの内側端が第２メガネフレームとを固定接続され、第２圧縮コイルバネの外側端に第２上接続シートと第２下接続シートの間に摺動可能な第２スライダーを設け、前記ミドルウェアは前記第１ブリッジコネクタと第２ブリッジコネクタの間にあり、前記ミドルウェアの両側にメガネフレーム法線と垂直する第１枢設接続孔と第２枢設接続孔をそれぞれ設け、第１枢設接続孔に第１ブリッジコネクタとミドルウェアの第１かなめピンを設け、第２枢設接続孔に第２ブリッジコネクタとミドルウェアとを枢設接続される第２かなめピンを設け、前記ミドルウェアの両側が平面になり、両側面と隣接される側面は円弧面になり、第１枢設接続孔または第２枢設接続孔からその対応する円弧面までの半径が第１枢設接続孔または第２枢設接続孔からその対応する円弧面までの半径より大きく、前記メガネが完全に弾きだす時に、前記第１スライダーが前記ミドルウェアの側面と面接触し、前記第１圧縮コイルバネが伸長状態となり、前記第２スライダーが前記ミドルウェアの別の側面と面接触し、前記第２圧縮コイルバネが伸長状態とない、前記メガネが完全に折りたたまれる時に、前記第１スライダーが前記ミドルウェアの一方側の円弧面と線接触し、前記第１圧縮コイルバネが圧縮状態となり、前記第２スライダーが前記ミドルウェアの他方側の円弧面と線接触し、前記第２圧縮コイルバネが圧縮状態となり、前記第１テンプルが第２テンプルの間において、メガネを完全に折りたたまれた後でメガネ折りたたみ状態を維持するロック機構を上下対称に設ける。
第２の形態において、第１滑り片がミドルウェアと隣接する一方側に第１球欠が設けられ、ミドルウェアの第１球欠に対応する位置に第１凹面が設けられ、第２滑り片がミドルウェアと隣接する一方側に第２球欠が設けられ、ミドルウェアの第２球欠に対応する位置に第２凹面が設けられ、メガネが完全に開く時、第１球欠が第１凹面に当接し、第２球欠が第２凹面に当接する。
第３の形態では、ブリッジを更に含み、前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、先端面と隣接する側面が円弧面であり、第１ブリッジコネクタ自由端にメガネフレーム法線と垂直する第１ブリッジコネクタ枢設接続孔を設け、前記第１ブリッジコネクタ枢設接続孔からその対応する円弧面までの半径がその平面までの半径より大きく、前記第２ブリッジコネクタ自由端にメガネフレーム法線と垂直する第２ブリッジコネクタ枢設接続孔を設け、前記第２ブリッジコネクタ枢設接続孔からその対応する円弧面までの半径がその平面までの半径より大きく、前記ミドルウェアは前記第１ブリッジコネクタと第２ブリッジコネクタの間にあり、前記ミドルウェアに横スロットを設け、前記横スロットに水平方向の取付状態での圧縮バネを設け、その圧縮バネの両側に第１スライダーと第２スライダーをそれぞれ設け、前記ミドルウェアの両側にメガネフレーム法線と垂直する第１枢設接続孔と第２枢設接続孔を設け、第１枢設接続孔にミドルウェアと第１ブリッジコネクタを枢設接続する第１かなめピンを設け、第２枢設接続孔にミドルウェアと第２ブリッジコネクタを枢設接続する第２かなめピンを設け、前記メガネが完全に弾きだす場合には、前記第１ブリッジコネクタ自由端の平面が前記第１スライダーと面接触し、前記第２ブリッジコネクタ自由端の平面が前記第２スライダーと面接触し、前記水平方向の取付状態での圧縮バネが伸長状態となり、前記メガネが完全に折りたたまれる場合には、前記第１ブリッジコネクタ自由端の円弧面が前記第１スライダーと線接触し、前記第２ブリッジコネクタ自由端の円弧面が前記第２スライダーと線接触し、前記水平方向の取付状態での圧縮バネが圧縮状態となり、前記第１テンプルが第２テンプルの間において、メガネを完全に折りたたまれた後でメガネ折りたたみ状態を維持するロック機構を上下対称に設ける。
第３の形態においても、第１滑り片の外側に第１球欠があり、第１ブリッジコネクタの第１球欠に対応する位置に、第１凹面があり、第２滑り片の外側に第２球欠があり、第２ブリッジコネクタの第２球欠に対応する位置に、第２凹面があり、メガネが完全に開く時、第１球欠が第１凹面に当接し、第２球欠が第２凹面に当接する。
以上３つの形態のブリッジを備えるメガネにおいて、前記ロック機構は前記第１テンプルの上側及び下側に、内側に延伸するフックをそれぞれ設け、前記第２テンプルにおいて第１テンプルに対応するフックの位置に、それぞれフック穴が設けられ、メガネが折りたたまれた時、前記フックはちょうど前記フック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れ、或いは、前記ロック機構は第２テンプルの上側及び下側に、内側に延伸するフックをそれぞれ設け、前記第１テンプルにおいて第２テンプルに対応するフックの位置に、それぞれフック穴が設けられ、メガネが折りたたまれる時、フックはちょうどフック穴に引っかかれ、前記フック穴の外側に弾性片が設けられ、弾性片において前記フック穴に向かう位置に、凸部が設けられ、弾性片がフック穴側に押さられる時、前記凸部が前記フックを押し出し、前記フックと前記フック穴が離れる。
本発明は、別の自動的に開く折りたたみ式メガネを開示している。即ち、第１レンズが設けられた第１メガネフレームと、第２レンズ、第１テンプル及び第２テンプルが設けられた第２メガネフレームとを備える自動的に開く折りたたみ式メガネであって、前記第１テンプルと第１メガネフレームとが接続する端の幅は、前記第１レンズの幅以上であり、その形状は第１レンズの形状と対応し、前記第２テンプルと第１メガネフレームとが接続する端の幅は、前記第２レンズの幅以上であり、その形状は第２レンズの形状と対応し、前記第１メガネフレームと第１テンプルは第１弾性部材を介して弾性接続され、前記第２メガネフレームと第２テンプルは第２弾性部材を介して弾性接続される自動的に開く折りたたみ式メガネにおいて、前記第１ガネフレームが第２メガネフレームとヒンジ接続され、ヒンジにおいて前記第１メガネフレームと第２メガネフレームが一直線である状態を維持する位置決め機構を設ける、かつ、前記第１テンプルと第２テンプルとの間にメガネが完全に折りたたまれた後でメガネ折りたたみ状態を維持するロック機構を設ける。
前記位置決め機構のバネをヒンジと第２メガネフレームと接続する接続部の縦収納孔に設け、スプリングの下にスチールボールを設け、ヒンジの第１メガネフレームとの接続部において前記スチールボールに対応する位置に凹面を設け、スプリングの上端が端末カバーによって密閉され、前記第１メガネフレームと第２メガネフレームが直線になる時には、前記スチールボールがスプリングの作用によりちょうど前記凹面に当接し、第１メガネフレームと第２メガネフレームに対して位置決めを行う。
前記スプリングとスチールボールは前記第１メガネフレームと接続する接続部に設けられ、前記凹面は前記第２メガネフレームと接続する接続部に設けられる。
前記スプリングとスチールボールは前記第２メガネフレームと接続する接続部に設けられ、前記凹面は前記第１メガネフレームと接続する接続部に設けられる。
前記位置決め機構は前記ヒンジにおいてノーズパッド側に位置する接続部が前記ヒンジの他方の接続部に向かって延伸して形成した延伸平面であり、該延伸平面の内側に第１磁器シートまたは第１鉄片を設け、他方の接続部において前記延伸平面に対する平面において第１磁器シートとは磁性が逆の第２磁器シートを設け、前記第１メガネフレームと第２メガネフレームが直線状態になる時に、前記第２磁器シートと第１磁器シートまたは第１鉄片とオーバーラップして吸着し、前記第１メガネフレームと第２メガネフレームに対して位置決めをする
前記第１テンプルの内壁に、内側に凹み第１レンズを収納するための第１レンズ保護枠を設けるとともに、第２テンプルの内壁に、内側に凹み第２レンズを収納するための第２レンズ保護枠を設ける。
前記第１レンズ保護枠と第２レンズ保護枠に対応するテンプル部分は、透明または半透明材料からなる。
ノーズパッドは、メガネフレーム内側辺の中間位置に設けられ、前記メガネフレームと弾性接続される。
前記第１弾性部材は、第１軸及び第１スプリングを備える。前記第１スプリングは前記第１軸に外嵌されている。第１スプリングの両端はそれぞれ第１メガネフレームと第１テンプルの内壁に当接する。前記第２スプリングは前記第２軸に外嵌されている。第２スプリングの両端はそれぞれ第２メガネフレームと第２テンプルの内壁に当接する。
【考案の効果】
【０００５】
本発明はメガネフレームとメガネフレームの間に弾性部材を使用し、メガネフレームとメガネフレームの間にブリッジを使用し、第１テンプルと第２テンプルの間に、メガネを完全に縮ませた後にメガネ折りたたみ状態を保持できるロック機構を設ける、従って、本発明は、使用者が片手でロック機構を押すと、メガネ全体は弾性部材の張力に作用され、自然的に弾き出し、使用可能の状態を表す、従来メガネを掛ける時にメガネケースからメガネを取り出し、両手でメガネを開く面倒を解消できる。本発明は、より便利かつ迅速な利点を備える。また、本発明は、別にメガネケースを配置する必要がないメリットを持っている。
【図面の簡単な説明】
【０００６】
【図１】本発明の実施例の展開構造図である。
【図２】図１の別の位置決めの拡大分解構造図である。
【図３】図２の局所断面の構造図である。
【図４Ａ】図１の位置調整機構の拡大分解構造図である。
【図４Ｂ】図４Ａ組み合わせた後の構造図である。
【図４Ｃ】図１のもう一つの位置調整機構の拡大分解構造図である。
【図４Ｄ】図４Ｃ組み合わせた後の断面構造図である。
【図４】本発明のもう一つの位置調整機構の拡大分解構造図である。
【図５】図４の別の視角構造図である。
【図６】本発明のもう一つの位置調整機構の拡大分解構造図である。
【図７】図６の別の視角の構造図である。
【図８】図６組み合わせた後の構造図である。
【図９】本発明のもう一つの位置調整機構の拡大分解構造図である。
【図１０】図９に示した位置調整機構がメガネでの使用状態構造図である。
【図１１】本発明の別の実施例の展開構造図である。
【図１２】本発明の別の実施例の展開構造図である。
【図１３】図１２の分解構造図である。
【図１４】図１２のブリッジ水平断面構造図である。
【図１５】図１２のロック機構の縦方向断面構造図である。
【図１６】本発明のブリッジのいくつかの変形構造図である。
【図１７】本発明のブリッジのいくつかの変形構造図である。
【図１８】本発明のブリッジのいくつかの変形構造図である。
【図１９】本発明のブリッジのいくつかの変形構造図である。
【図２０】本発明の三番目の実施例の展開構造図である。
【図２１】図２０の一つのロック機構の断面構造図である。
【図２２】図２１の変形機構の断面構造図である。
【図２３】本発明の別の実施例の展開構造図である。
【図２４】図２３の別のロック機構の構造図である。
【考案を実施するための形態】
【０００７】
図１、図２と図３には、自動的に開く折りたたみ式メガネが示されている。本実施例では、テンプルとメガネフレームはプラスチックで作られる。第１レンズと第２レンズはガラスレンズであり、または高透明性の樹脂レンズである。これは、第１メガネフレーム１、第２メガネフレーム３、及び第１テンプル５や第２テンプル６を含む。前記第１メガネフレーム１に第１レンズ２を設け、前記第２メガネフレーム３に第２レンズ４を設け、前記第１テンプル５と第１メガネフレーム１とを接続する１端の幅が前記第１レンズ２の幅以上であり、その形は第１レンズ１の形状と当て嵌め、メガネが完全に折りたたまれた後、第１レンズ１を保護できることを満足する、前記第２テンプル６と第２メガネフレーム３と接続する１端の幅が前記第２レンズ４の幅より大きいまたは等しい。その形状は第２レンズ４の形状と対応し、これによりメガネが完全に折りたたまれた後、第２レンズ４を保護できる。前記第１メガネフレーム１と第１テンプル５の間に第１弾性部材７を設け、第１メガネフレーム１と第１テンプル５はこの第１弾性部材７を介して弾性接続される。前記第２メガネフレーム３と第２テンプル６との間に、第２弾性部材８を設け、前記第２メガネフレーム３と第２テンプル６は第２弾性部材８を介して弾性接続される。前記第１メガネフレーム１と第２メガネフレーム３との間に、ヒンジ９を設け、前記第１メガネフレーム１と第２メガネフレーム３はヒンジ９を介して接続される。ヒンジ９はヒンジ軸９２を介して接続され、ヒンジ９に、第１メガネフレーム１と第２メガネフレーム３を直線に保持させる位置決め機構９１を設ける。前記位置決め機構９１の構造は、位置決め機構のスプリング９１１が、ヒンジ９と第１メガネフレーム１との接続部９１２の穴９１３に設けられる（図２と図３を参照）。スプリング９１１の外側にスチールボール９１４を設け（ここでは例としてスチールボールが挙げられたが、代わりに銅ビーズ、または他の硬質金属で作られたビーズ、またはガラスビーズを使ってもよい。以下は同じ）、ヒンジ９と第２メガネフレーム３との接続部９１５に、スチールボール９１４に対応する位置に凹面９１６を設ける（図２では凹面９１６が見えない。ここの凹面９１６は球冠形である）。前記第１メガネフレーム１と第２メガネフレーム３が直線である場合には、前記スチールボール９１４がスプリング９１１の作用を受け、ちょうど凹面９１６に突っ張り、第１メガネフレーム１と第２メガネフレーム３との位置決めを実現し、前記第１メガネフレーム１と第２メガネフレーム３が直線である状態を維持する。このようにスプリング９１３、スチールボール９１４及び凹面９１６により構成された位置決め機構９１（本実施例に二種類のスプリング位置決め片が使用されているが、一つのスプリング位置決め片が使用されてもよい。以下は同じ）は、位置決めの作用以外、メガネが開く途中にメガネ開き速度を緩める作用がある。そのため、メガネが折りたたむ時、スチールボール９１４がスプリング９１３の作用を受け、第２メガネフレーム３の接続部９１５の外壁に突っ張る。メガネが開く時、スチールボール９１４と第２メガネフレーム３の接続部９１５は一定の摩擦が発生し、メガネ開き速度を緩める効果を果たす。メガネが完全に折りたたまれる時、第１メガネフレーム１につながる接続部９１２の凸部９１８は、ちょうと第２メガネフレーム３につながる接続部９１５の上のノッチ９１７にあり、これによりメガネが完全に折りたたんだことを保証する。第１メガネフレーム１と接続する接続部９１２内側に平面９１２１を設け、第２メガネフレーム３と接続する接続部９１５内側に平面９１５１を設ける。メガネが完全に開く時、平面９１２１と平面９１５１がちょうど当接することにより、メガネフレームが１８０°以上になることを防ぐ。本実施例において、前記第１テンプル５と第２テンプル６との間に、メガネが完全に折りたたまれた後にメガネ折りたたみ状態を維持するロック機構１０を設ける。前記第１テンプル５外側にペンフックを設ける。ペンフックにより、メガネが完全に折りたたまれた後、万年筆のようにメガネを便利に衣類のポケットに掛けることができる。前記第２テンプル６に、ペン埋め込み用のＴ字型スロットを予備する。このＴ字型スロットに、ボールペンなど小型ペンを埋め込むことができ、これらのペンが使用されやすくなる。本発明のメガネフレームは、ハーフフレームを使用可能。
本実施例において、ロック機構１０は、フックブロック１３３と弾性クリップ１４を含む。前記フックブロック１３３において弾性クリップ１４に対向する面は曲面１３４である。前記弾性クリップ１４はクリップ１４１を含む。前記クリップ１４１の前端にフック１４６を設ける。折りたたみ式メガネが折りたたまれる時、前記フック１４６はスプリング１４２の作用を受け、前記フックブロック１３３に引っかかる。前記フック１４６においてフックブロック１３３に対向する面も曲面である。前記フックブロック１３３において弾性クリップ１４に対向する面が曲面１３４として設定され、前記フック１４６がフックブロック１３３に対向する面も曲面である。その理由は、このような設計は、前記フック１４６の曲面とフックブロック１３３の曲面の摩擦を減らすことができ、両者の迅速な相互ロックに役立つからである。前記クリップ１４１の２側面に、下向き凸部１４８をそれぞれ設ける、二つの位置決めシート１４４はそれぞれ下向き凸部１４８の外側にある。前記スプリング１４２は、前記位置決め軸１４３中部につけられる。前記位置決め軸１４３は下向き凸部１４８を通貫した後、前記位置決めシート１４４に挟まって、クリップ１４１と第１テンプル５を接続する。前記第１テンプル５に、二つの位置決めシート１４４の間に、サポートクリップ１４１前部の支持片１４７を設ける。前記二つの位置決めシート１４４に対応する内壁に、内側に開口するスロット１４９をそれぞれ設ける。前記支持片１４７の高さはスロット１４９の下部底面より高い。前記位置決め軸１４３は、開口からスロット１４９に押さられ、前記支持片１４７の最高位置を越えた後、前記支持片１４７後部のスロット後に挟まられ、クリップ位置決めを実現する。前記支持片１４７の主な作用は、前記フック１４６の内壁に当接することにより、クリップ１４１がスプリング１４２によって過度に降下して前記フックブロック１３３に正確に掛けられないことを防止することである。
本実施例において、第１テンプルの内壁に、内側に凹み第１レンズを格納する第１レンズ保護ボックス１３１を設ける。第２テンプルの内壁に、同様に内側に凹み第２レンズを格納する第２レンズ保護ボックス（不可視）を設ける。この設計によると、メガネが完全に折りたたまれた後、第１レンズと第２レンズの上下レンズを完全に保護ボックスで包んで、レンズ損傷を防ぐことができる。
【０００８】
本発明において、前記折りたたみ式メガネのノーズパッド１００は、メガネフレーム内側辺の中間位置に設けられ、前記メガネフレームと弾性接続される。折りたたみ式メガネのノーズパッドがメガネフレームまたはレンズ内側辺の中間位置に設ける理由は、この構造により折りたたみ式メガネを両面使用可能の折りたたみ式メガネにすることができるからである。つまり、折りたたみ式メガネのレンズとテンプルは左右に関わらず、随意に掛けることができる。ノーズパッド１００とメガネフレームが弾性接続されるので、メガネ折りたたみ時、ノーズパッド１００が圧縮され、折りたたみ式メガネの厚さが減小される。
本実施例において、前記第１レンズ保護ボックスと第２レンズ保護ボックスが対応しているテンプル部分は、透明または半透明材料を使って作られる。
本発明において、使用される第１弾性部材７と第２弾性部材８は、構造が同じであり、位置決め軸とスプリングを含む。前記スプリングは位置決め軸につけられる。前記第１弾性部材７は、第１位置決め軸７１（実際の応用において、位置決め軸がネジであってもよく、従来のメガネのネジ構造と同じであってもよい）と第１スプリング７２を含む。前記第１スプリング７２は前記第１位置決め軸７１に外嵌されている。第１スプリング７２の両端７３、７４はそれぞれ第１メガネフレーム１と第１テンプル５の内壁に当接し、前記第１スプリング７２は、第１テンプル５の端７４に当接し、レンズ保護ボックス１３１内に延伸し、レンズクリーニングクロスを掛ける端７５を形成している。この端７５を介して、事前に折りたたまれたレンズクリーニングクロスをレンズ保護ボックス１３１に格納することができる。レンズクリーニングクロスを使用する必要がある場合には、レンズ保護ボックス１３１から取ることができる。本実施例において、前記第１弾性部材７は取付片７６を含む。前記取付片７６の内底面に、二つの第１凸部７６１を設ける。前記第１メガネフレーム１に、第１凸部７６１に対応する第２凸部１１０１を設ける。前記第１位置決め軸７１を、第１凸部７６１と第２凸部１１０に挿入する。取付片７６と第１メガネフレーム１を接続し、前記第１スプリングが二つの第２凸部１１０の間の位置決め軸７１にある。この構造は、第１弾性部材７と第１テンプル５との取り付けに役立つ。つまり、メガネを組み立てる場合には、まず上記構造に従って第１弾性部材７を取り付け、次に、貼付けなどの方式により、取付片を第１テンプルの前端のレンズ保護ボックス１３１の内壁に固定する。
第２弾性部材８の構造は第１弾性部材７の構造と同じである。前記第２弾性部材８には第２位置決め軸と第２スプリングを含む。前記第２スプリングは前記第２位置決め軸につけられる。第２スプリングの両端はそれぞれ第２メガネフレームと第２テンプルの内壁に当接する。
図４Ａと図４Ｂを参照して説明する。図４Ａは図１の位置決め機構の拡大分解構造図である。図４Ｂは図４Ａ組立後の構造図である。本発明の位置決め機構９１は、位置決めスプリング９３０を含むように設計されることができる。前記位置決めスプリング９３０をヒンジ９のヒンジ軸９２につける。図には、前記位置決めスプリング９３０をヒンジ軸９２の下端に設けられ、かつヒンジ軸９２とネジ連結されたナット９３１によって締め付ける。その際に、位置決めスプリング９３０がヒンジ９の一方の接続部９１２とヒンジ９の他方の接続部９１５とを締め付ける。ヒンジ９の一方の接続部９１２とヒンジ９の他方の接続部９１５と接触する底面に、それぞれを２対の凸部９３２や凹面９１６（本発明では、一つの凸部９３２と一つの凹面９１６を「１対の凸部と凹面」と言う）を設ける。ただし、一対の凸部９３２や凹面９１６のサイズは、他の一対の凸部９３２や凹面９１６のサイズとは異なり、即ち、一対の凸部９３２や凹面９１６のサイズは、他の一対のペアの凸部９３２や凹面９１６の円弧面サイズより大きいまたは小さい。従って、メガネが完全に開く時に、サイズが対応する凸部９３２はちょうど凹面９１６に挟まれ、前記第１メガネフレーム１と第２メガネフレーム３が直線状態を維持する。メガネが収まれ、または折りたたまれる時、前記凸部９３２は凹面９１６に対して特定の角度で回転する。二つの凸部９３２の円弧面サイズが等しくないので、大きな凸部９３２は小さな凹面９１６に入ることはない。小さな凸部９３２が大きな凹面９１６に入ることができるが、両者のサイズが異なるため、こんな状態では、両者がロックできない。本実施例では、２対の凸部９３２や凹面９１６を例として、本発明の原理を説明したが、本発明は該実施例に限定されない。本発明の凸部９３２や凹面９１６は、２対より多い構造に設定されてもよく、そのうち少なくとも１対の凸部９３２や凹面９１６が、他の凸部９３２や凹面９１６の円弧面サイズと異なれば、本発明の目的が達成できる。前記２対の凸部９３２と凹面９１６とが係合された後に、２対の凸部９３２と凹面９１６の円弧面サイズが異なることにより、ヒンジ９の一方の接続部９１２とヒンジ９の他方の接続部９１５と接触する底面の間に斜度が発生することを抑制するために、小さな凸部９３２の円弧面後端に円柱体を設けることができる。これにより、二つの凸部９３２の高さを一致させることができる（もちろん、凸部が二つを超える場合、その小さな凸部の円弧面後端に円柱体を設けるように設計し、小さな凸部９３２の高さを調整することができる）。また、本実施例では、１つの位置決めスプリング９３０のみを使用し、ヒンジ軸９２の下端に設けているが、１つの位置決めスプリング９３０を使用する場合、位置決めスプリング９３０をヒンジ軸９２の上端に設けてもよい。また、ヒンジ軸９２の上端と下端にそれぞれ１つの位置決めスプリング９３０を設けてもよい。この構成によっても、同じ効果を得ることができる。本実施例のナット９３１を単独に設けてもよく、メガネフレーム接続部９１５の上底面または下底面と接続して一体化することもできる。本実施例では、大きな凸部と小さな凸部の高さ誤差があっても、位置決めスプリング９３０が存在するので、正常な使用に影響を及ぼさない。
図４Ｃと図４Ｄを参照して説明する。図４Ｃは、図１の別の位置決め機構の拡大分解構造図である。図４Ｄは図４Ｃ組立後の断面構造図である。図４Ｃや図４Ｄに示される位置決め機構９１の構造は、図２や図３の前記位置決め機構９１の構造とは大体同じであるが、相違点は、前記位置決め機構９１のスプリング９１１をヒンジ９と第２メガネフレーム３を接続する接続部９１５の縦方向穴９３３に設けることである。スプリング９１１の下端にスチールボール９１４が置かれている（例としてスチールボールが挙げられたが、代わりに銅ビーズ、または他の硬質金属で作られたビーズ、またはガラスビーズを使ってもよい。以下は同じ）。ヒンジ９の第１メガネフレーム１との接続部９１２に、前記スチールボール９１４に向かう位置に凹面９１６を設ける。スプリング９１１の上端がプラグ９１９に密閉される。前記第１メガネフレーム１と第２メガネフレーム３が直線を呈する場合には、前記スチールボール９１４はスプリング９１１の作用により、ちょうど前記凹面９１６に当接し、前記第１メガネフレーム１と第２メガネフレーム３の位置決めを実現し、前記第１メガネフレーム１と第２メガネフレーム３の直線状態を維持する。本実施例では、前記スプリング９１１、スチールボール９１４と凹面９１６が２セット設けられ、そのうち、１セットのスプリング９１１、スチールボール９１４と凹面９１６のサイズは別のセットのサイズと等しくない。つまり、そのうち１対の凸部９３２と凹面９１６の円弧面サイズが、別の凸部９３２や凹面９１６の円弧面サイズより大きいまたは小さい。従って、メガネが完全に開く時、サイズが対応するスチールボール９１４はちょうど凹面９１６に挟まれ、前記第１メガネフレーム１と第２メガネフレーム３が直線状態を維持する。メガネが収まれ、または折りたたまれる時、前記スチールボール９１４は凹面９１６に対して特定の角度で回転する。二つのスチールボール９１４の円弧面サイズが等しくないので、大きなスチールボール９１４は小さな凹面９１６に入ることはないため、ロックできない。本実施例では、大きな凸部と小さな凸部の高さ誤差があっても、位置決めスプリング９３０が存在するので、正常な使用に影響を及ぼさない。
【０００９】
図４と図５を参照して説明する。図４と図５に示すのは本発明の別の位置決め機構の拡大分解構造図である。図５は図４の別の視角の構造図である。本実施例では、前記位置決め機構９１のスプリング９１１とスチールボール９１４は、第２メガネフレーム３と接続する接続部９１５の収納孔９１３にある。スプリング９１１の後端にプラグ９１９を設けることにより、スプリング９１１とスチールボール９１４が収納孔９１３から弾きだすことを防ぐ。一方、スプリング９１１がスチールボール９１４に圧力を調整することもできる。前記凹面９１６を第２メガネフレーム１につながる接続部９１２に設ける。同様に、前記第１メガネフレーム１と第２メガネフレーム３が直線状態となる場合、前記スチールボール９１４はスプリング９１１の作用により、ちょうど前記凹面９１６に当接し（ここの凹面９１６は縦方向のノッチ形であるので、更にスチールボールと凹面９１６の隙間配合に役立つ）、前記第１メガネフレーム１と第２メガネフレーム３に位置決めを実現し、前記第１メガネフレーム１と第２メガネフレーム３の直線状態を維持する。
図６、図７及び図８を参照して説明する。図６〜図８は、本発明の別の位置決め機構の拡大分解構造図である。図７は図６の別の視角の構造図である。図８は図６組立後の構造図である。前記スプリング９１１とスチールボール９１４が、全体構造９２０を構成する。この全体構造９２０は、第１メガネフレームと接続するヒンジ９の接続部９１２に対して、シュート９２２とスライダー９２３を介して相対的に摺動することができる。前記全体構造９２０の後端に第２スプリング９２１を設ける。第２メガネフレーム３と接続するヒンジ９の接続部９１５に凹面９１６を設ける。この全体構造９２０を、第２メガネフレーム３と接続するヒンジ９の接続部９１５に対し、凹面９１６が第１メガネフレームと接続するヒンジ９の接続部９１２に設けられる構造に設計できることは明らかである。こうした構造によりも、同じ効果を果たすことができる。
【００１０】
図９は、本発明の別の位置決め機構の拡大分解構造図である。図９に示す前記位置決め機構９１の構造では、前記ヒンジ９がノーズパッド１００の一方側にある接続部９１２が前記ヒンジ９の別の接続部９１５に拡張し、拡張平面９２４を形成する。該拡張平面９２４の内側に第１磁器シート９２５（この第１磁器シート９２５を鉄板に代えてもよい）を設ける。別の接続部９１５において張平面９２４に向かう平面９２６に、第１磁器シート９２５とは極性が逆の第２磁器シート９２７を設ける。前記第１メガネフレーム１と第２メガネフレーム３が直線状態を呈する場合、前記第２磁器シート９２７と第１磁器シート９２５または第１鉄板がオーバーラップして吸着し、前記第１メガネフレーム１と第２メガネフレーム２に位置決めを実現する。試験結果によると、第１磁器シート９２５や第２磁器シート９２７を前記接続部９１２や接続部９１５の端に設ける時の相互の磁気吸着効果は、上記の磁器シート９２５、９２７をオーバーラップする方式の磁気吸着効果より低い。その理由は、マグネットの吸引ポイントが両端で接続される場合、メガネフレームとテンプルのトルクを阻止することができない。メガネが開いた後、いつもＭ字形になる。考えれば分かるように、２本の長方形棒の先端にそれぞれマグネットがあり、先端がオーバーラップした場合、いずれかの棒を取ると、別の棒は間違いなく落ちる。相互オーバーラップの方式を使用する場合、マグネットの磁気誘導強度が２５００ガウシアン以上であれば、二つのテンプルが相互に吸着することができる。２本の棒の両端近くに二つのマグネットを取り付ける場合、対応の磁力があれば、１本の棒を持って別の棒を吸着することができる。本発明では、前記第１磁器シート９２５または第２磁器シート９２７の磁気誘導強度が２５００ガウシアン以上であることが好ましい。
図１０は、図９に示す位置決め機構がメガネにおいて使用される状態の構造図である。
図１１を参照して説明する。図１１は、本発明の別の実施例の展開構造図である。図１１に示すメガネのテンプル構造が以上の構造とはことなり、下側や内側に曲がる弧セグメント１１２を有する。メガネが折りたたんだ時、メガネの厚さに影響されないことを保証するために、弧セグメント１１２をも弾性部品１１１を介して弾性接続方式に設けることが好ましい。メガネが完全に折りたたまれる場合、前記弧セグメント１１２は適当に外側に開けられることができる。メガネが完全に開く時、弾力の作用により、着用状態に戻ることができる。本発明の弾性接続を、第１弾性部材の構造と類似して、スプリングで接続する構造のように設計することができる。
図１１のノーズパッド１００と弧セグメント１１２は弾性接続される。この構造は主に度付きメガネとサングラスに用いられる。度付きメガネとサングラスのサイズが大きいので、ノーズパッド１００をメガネフレームの中間に設けない。ノーズパッド１００の位置は一般的なメガネと同じであり、かつ、テンプルの後端（つまり弧セグメント１１２）は標準に従って適切に内側に曲がる必要がある。弧セグメント１１２による折りたたみ式メガネが折りたたまれた後、厚さが必ず大きくなるため、本実施例のノーズパッド１００と弧セグメント１１２を弾性接続する必要がある。メガネが完全に折りたたまれた時、ノーズパッド１００と弧セグメント１１２も適切に圧縮されることができる。メガネが完全に折りたたまれた後の厚さが減小される。
図１２と図１３を参照して説明する。図１２と図１３では、自動的に開く折りたたみ式メガネを示している。このメガネは、第１メガネフレーム１を含む。前記第１メガネフレーム１に第１レンズ２を設ける。第２メガネフレーム３において、前記第２メガネフレーム３に第２レンズ４を設ける。第１テンプル５と第２テンプル６において、前記第１テンプル５と第１メガネフレーム１を接続する端の幅が第１レンズ２の幅以上であり、その形は第１レンズ２の形と対応する。前記第２テンプル６と第２メガネフレーム３を接続する端の幅が前記第２レンズ４の幅より大きいまたは等しい。その形は第２レンズの形と対応する。前記第１メガネフレーム１と第１テンプル５との間は第１弾性部材７（構造が上記と同じ）を介して弾性接続される。前記第２メガネフレーム３と第２テンプル６との間は第２弾性部材８（構造が上記と同じ）を介して接続される。前記ブリッジ１２０は、第１ブリッジコネクタ１２１、第２ブリッジコネクタ１２２、第１テンションスプリング（不可視）、第２テンションスプリング１２３及びミドルウェア１２４を含む。前記第１ブリッジコネクタ１２１と第２ブリッジコネクタ１２２は、それぞれ第１メガネフレーム１と第２メガネフレーム３の内側に固定され、それぞれ第１ブリッジコネクタ自由端１２１１と第２ブリッジコネクタ自由端１２２１を備える。第１ブリッジコネクタ自由端１２１１と第２ブリッジコネクタ自由端１２２１の端面は全て平面である。前記第１ブリッジコネクタ１２１に第１水平スロットを設ける。前記第２ブリッジコネクタ１２２に第２水平スロット１２２２を設ける。前記第１テンションスプリングが第１水平スロットに設けられる。第１テンションスプリングの内端は第１ブリッジコネクタ１２１に可動連結される。前記第２テンションスプリング１２３を第２水平スロット１２２２に設ける。第２テンションスプリング１２３の内端は第２ブリッジコネクタ１２２と可動連結される。前記ミドルウェア１２４は前記第１ブリッジコネクタ１２１と第２ブリッジコネクタ１２２の間にある。前記ミドルウェア１２４の両側に、それぞれメガネフレーム法線と垂直する第１枢設接続孔１２４１と第２枢設接続孔１２４２を設ける。第１枢設接続孔１２４１に第１かなめピン１２４３を設ける。前記第１テンションスプリングの外端を第１かなめピン１２４３にかぶせる。第２枢設接続孔１２４２に第２かなめピン１２４４を設ける。前記第２テンションスプリング１２３の外端を第２かなめピン１２４４にかぶせる。前記ミドルウェア１２４の両側が平面１２４５、１２４６であり、ミドルウェア１２４の２側面１２４５、１２４６と隣接する側面が円弧面１２４７、１２４８である。第１枢設接続孔１２４１から対応の円弧面１２４７まで、または第２枢設接続孔１２４２から対応の円弧面１２４８までの半径Ｒ２が、第１枢設接続孔１２４１から対応の平面１２４５までの半径、または第２接続穴１２４２から対応の平面１２４６までの半径Ｒ１より大きい。従って、メガネが完全に弾きだす場合、前記第１ブリッジコネクタ自由端１２１の端面１２１１とミドルウェア１２４の対応平面１２４５と接触し、前記第１テンションスプリングが収縮状態である。前記第２ブリッジコネクタ自由端１２２の端面１２２１とミドルウェア１２４の平面１２４６が接触し、前記第２テンションスプリング１２３が収縮状態であり、つまり安定状態で、メガネを掛けやすい。前記メガネが完全に折りたたまれた時、前記第１ブリッジコネクタ自由端１２１の端面１２１１と前記ミドルウェア１２４の対応の円弧面１２４７と線接触し、前記第１テンションスプリングが引っ張り状態であり、非安定状態で、常に安定状態に戻る状態を示している、第２ブリッジコネクタ自由端１２２の端面１２２１とミドルウェア１２４の対応の円弧面１２４８と線接触し、前記第２テンションスプリング１２３が引っ張り状態であり、非安定状態で、常に安定状態に戻ろうとする状態である（図１４を参照。図１４の実線状態が安定状態であり、点線状態が非安定状態である）。前記第１テンプル５と第２テンプル６との間、メガネが完全に折りたたまれた後のメガネ折りたたみ状態を維持するロック機構１０を上、下対称とそれぞれ設ける。本実施例では、前記第１水平スロットに第１スライダー１２５を設ける。前記第１スライダー外端１２５に第１スライダー接続穴を設ける。前記第１スライダー１２５に第１横方向スルーホール１２５１を設ける。前記第１テンションスプリングが第１横方向スルーホール１２５１を貫通し、前記第１かなめピン１２４３につけられる。前記第２水平スロット１２２２に第２スライダー１２６を設ける。前記第２スライダー１２６外端に第２スライダー枢設接続孔１２６１を設ける。前記第２スライダー１２６に第２横方向スルーホール１２６２を設ける。前記第２テンションスプリング１２３が第２横方向スルーホール１２６２を貫通し、第２接続ピン１２４４につけられる。前記第１ブリッジコネクタ１２１の内側に第１ノーズパッド１０１を設ける。前記第１ノーズパッド１０１が第１スライダー１２５と第１テンションスプリングを裏にカバーする。前記第２ブリッジコネクタ１２２の内側に第２ノーズパッド１０２を設ける。前記第２ノーズパッド１０２が第２スライダー１２６と第２テンションスプリング１２３を裏にカバーする。第２テンプルにペンフック２００を設ける。
【００１１】
図１−図１１のロック機構を使用できる以外、２つのロック機構１０を設けてもよい。一つがテンプルの上部にあり、もう一つがテンプルの下部にある。テンプル上部にあるロック機構１０では、前記第１テンプル５の上側に、内側にフック１０３が延伸する。フック１０３のフック耳１０３１を上向き、前記第２テンプル６に、第１テンプル５に対応するフック１０３の位置に、それぞれフック穴１０４を設ける。メガネが折りたたまれた時、前記フック１０３はちょうど前記フック穴１０４に引っかかる。前記フック穴１０４の外側に弾性片１０５を設ける。弾性片１０５に、前記フック穴１０４に向かう位置に、凸部１０６を設ける。弾性片１０５がフック穴１０４の逆側に押さられる時、前記凸部１０６が前記フック１０３を押し出し、前記フック１０３と前記フック穴１０４が離れる（図１５を参照する。以下は同じ）。同様に、テンプル下部にあるロック機構１０の構造と類似して、それが第１テンプル５に上記のロック機構１０との対称位置に、別のロック機構を設ける。このロック機構の構造は上記のロック機構エリアの構造と大体同じである。それは、下側に第１テンプル５の上側にそれぞれ内側にフック１０３延伸する。前記フック１０３のフック耳１０３１が下に向かう。前記第２テンプル６に、第１テンプル５に対応するフック１０３の位置に、それぞれフック穴１０４を設ける。メガネが折りたたまれる時、フック１０３はちょうどフック穴１０４に掛けられる。フック穴１０４の外側に弾性片１０５を設ける。弾性片１０５にフック穴１０４の向かう位置に凸部１０６を設ける。弾性片１０５が、フック穴１０４に向かう方向へ押さられる場合、凸部１０６が前記フック１０３を押し出し、前記フック１０３と前記フック穴１０４が離れる。
フック１０３が前記第２テンプル６にあり、フック穴１０４や弾性片１０５が第１テンプル５にあるようにロック機構１０を設計されることができることは明らかである。その作用は同じである。ここでは、具体的な構造を再度説明しない。
図１６を参照して説明する。該図は、本発明のブリッジ１２０の変形構造を示す図である。図に示すブリッジ１２０は、第１ブリッジコネクタ１２１、第２ブリッジコネクタ１２２、第１圧縮コイルバネ１２７、第２圧縮コイルバネ１２８及びミドルウェア１２４を含む。前記第１ブリッジコネクタ１２１には、第１上接続シート１２１２と第１下接続シート１２１３を含む。前記第１上接続シート１２１２と第１下接続シート１２１３は一定の間隔を隔てて、平行に第１メガネフレーム１の内側に固定接続される。前記第１上接続シート１２１２と第１下接続シート１２１３に第１ブリッジコネクタ接続穴１２１４を設ける。前記第１圧縮コイルバネ１２７を第１上接続シート１２１２と第１下接続シート１２１３の間に設ける。第１圧縮コイルバネ１２７の内端は第１メガネフレーム１と固定接続される。第１圧縮コイルバネ１２７の外端に、第１上接続シート１２１２と第１下接続シート１２１３の間に滑る第１滑り片１２１５を設ける。前記第２ブリッジコネクタ１２２は第２上接続シート１２２２と第２下連結片１２２３を含む。前記第２上接続シート１２２２と第２下接続シート１２２３は一定の間隔を隔てて、平行に第２メガネフレーム３の内側に固定接続される。前記第２上接続シート１２２２と第２下接続シート１２２３に第２ブリッジコネクタ枢設接続孔１２２４を設ける。前記第２圧縮コイルバネ１２８を第２上接続シート１２２２と第２下接続シート１２２３の間に設ける。第２圧縮コイルバネ１２８の内端は第２メガネフレーム３と固定接続される。第２圧縮コイルバネ１２８の外端に、第２上接続シート１２２２と第２下接続シート１２２３の間に可動の第２スライダー１２２５を設ける。前記ミドルウェア１２４は第１ブリッジコネクタ１２１と第２ブリッジコネクタ１２２の間にある。前記ミドルウェア１２４の両側に、それぞれメガネフレーム法線と垂直する第１枢設接続孔１２４１と第２枢設接続孔１２４２を設ける。第１枢設接続孔１２４１に、第１ブリッジコネクタ１２１とミドルウェア１２４を接続する第１かなめピン１２４３を設ける。第２枢設接続孔１２４２に、第２ブリッジコネクタ１２２とミドルウェア１２４を接続する第２かなめピン１２４４を設ける。前記ミドルウェア１２４の両側が平面１２４５、１２４６であり、２側面と隣接する側面が円弧面１２４７、１２４８である。第１枢設接続孔１２４１または第２枢設接続孔１２４２が対応の円弧面１２４７、１２４８までの半径は、第１枢設接続孔１２４１または第２枢設接続孔１２４２が対応の平面１２４５、１２４６までの半径より大きい。メガネが完全に弾きだす場合、前記第１滑り片１２１５と前記ミドルウェア１２４の一方側の平面１２４５が面接触し、前記第１圧縮スプリング１２７が拡張状態である。前記第２スライダー１２２５が前記ミドルウェア１２４の他方側の平面１２４６と面接触し、前記第２圧縮コイルバネ１２８が拡張状態、安定状態である。前記メガネが完全に折りたたまれた場合、前記第１滑り片１２１５と前記ミドルウェア１２４の片側円弧面１２４７が線接触し、前記第１圧縮スプリング１２７が圧縮状態である。前記第２スライダー１２２５が前記ミドルウェア１２４の逆側の円弧面１２４８と線接触し、前記第２圧縮コイルバネ１２８が圧縮状態、非安定状態である。ロック機構１０の構造は上記通りである（以下は同じ）。
図１７を参照して説明する。図１７は、本発明のブリッジ１２０の別の変形構造を示す図である。この構造は、図１６に示すブリッジ１２０の構造と大体同じ。相違点は、前記第１滑り片１２１５がミドルウェア１２４と隣接する一方側に、第１球欠（不可視）を設ける。前記ミドルウェア１２４が第１球欠に対応する位置に、第１凹面１５０を設ける。前記第２スライダー１２２５がミドルウェア１２４と隣接する一方側に、第２球欠１２２５１を設ける。前記ミドルウェア１２４において第２球欠１２２５１に対応する位置に、第２凹面１６０を設ける。メガネが完全に開く時、前記第１球欠が前記第１凹面１５０に当接し、前記第２球欠１２２５１が前記第２凹面１６０に当接し、安定状態である。非安定状態は上記を参照する。ここでは、再度説明しない。
図１８を参照して説明する。図１８は、本発明のブリッジ１２０の三番目の変形構造を示す図である。前記ブリッジ１２０は、第１ブリッジコネクタ１２１、第２ブリッジコネクタ１２２、横方向圧縮コイルバネ１２９及びミドルウェア１２４を含む。前記第１ブリッジコネクタ１２１と第２ブリッジコネクタ１２２は、それぞれ前記第１メガネフレーム１と第２メガネフレーム３の内側に固定接続され、第１ブリッジコネクタ自由端１２１４と第２ブリッジコネクタ自由端１２２４をそれぞれ備える。前記第１ブリッジコネクタ自由端１２１４と第２ブリッジコネクタ自由端１２２４の先端面は全て平面である。先端面と隣接する側面は円弧面１７０、１８０である。前記第１ブリッジコネクタ自由端１２１４に、メガネフレーム法線と垂直する第１ブリッジコネクタ枢設接続孔１２４１を設ける。第１ブリッジコネクタ枢設接続孔１２４１が対応の円弧面１７０までの半径が、平面までの半径より大きい。前記第２ブリッジコネクタ自由端１２２１に、メガネフレーム法線と垂直する第２ブリッジコネクタ枢設接続孔１２４２を設ける。前記第２ブリッジコネクタ枢設接続孔１２４２が対応の円弧面１８０までの半径は、平面までの半径より大きい。前記ミドルウェア１２４は、前記第１ブリッジコネクタ１２１と第２ブリッジコネクタ１２２の間にある。前記ミドルウェア１２４に横方向スロットを設ける。前記横方向スロットに横方向圧縮コイルバネ１２９を設ける。横方向圧縮コイルバネ１２９の両端に、それぞれ第１スライダー１２１５と第２スライダー１２２５を設ける。前記ミドルウェア１２４の両側に、それぞれメガネフレーム法線と垂直する第１枢設接続孔１２４１と第２枢設接続孔１２４２を設ける。前記第１枢設接続孔１２４１に、ミドルウェア１２４と第１ブリッジコネクタ１２１を接続する第１かなめピン１２４３を設ける。第２枢設接続孔１２４２に、ミドルウェア１２４と第２ブリッジコネクタ１２２を接続する第２かなめピン１２４４を設ける。前記メガネが完全に弾きだす時、前記第１ブリッジコネクタ自由端１２１４の平面が前記第１スライダー１２１５と面接触し、前記第２ブリッジコネクタ自由端１２２４の平面が第２スライダー１２２５と面接触し、前記横方向圧縮コイルバネ１２９が引っ張り状態である。前記メガネが完全に折りたたまれる時、前記第１ブリッジコネクタ自由端１２１４の円弧面１７０が前記第１滑り片１２１５と線接触し、前記第２ブリッジコネクタ自由端１２２４の円弧面１８０が前記第２スライダー１２２５と線接触し、前記横方向圧縮コイルバネ１２９が圧縮状態である。
図１９を参照して説明する。該図１９は、本発明のブリッジ１２０の四番目の変形構造を示す図である。図１８に示す実施例に比べて、基本構造が同じであり、相違点は以下の通りである。即ち、前記第１滑り片１２１５の外側に第１球欠１２１５１を設ける。前記第１ブリッジコネクタ１２１において第１球欠１２１５１に対応する位置に、第１凹面１５０を設ける。前記第２スライダー１２２５の外側に第２球欠（見えない）を設ける。前記第２ブリッジコネクタ１２２において第２球欠に対応する位置に、第２凹面１６０を設ける。メガネが完全に開く時、前記第１球欠１２１５１が前記第１凹面１５０に当接し、前記第２球欠が前記第２凹面１６０に当接する。
【００１２】
上記各実施例では、前記第１テンプルの内壁に、第１レンズを格納する第１レンズ保護ボックス１３１（内側に凹む）を設けるとともに、第２テンプルの内壁に、第２レンズを格納する第２レンズ保護ボックス（内側に凹み、不可視）を設ける。この設計によって、メガネが完全に折りたたまれた後、第１レンズと第２レンズの上下レンズを完全に保護ボックスで包んで、レンズ損傷を防ぐことができる。前記第１レンズ保護ボックスと第２レンズ保護ボックスに対応するテンプル部分は、透明または半透明材料によって作ることができる。
【００１３】
図２０を参照して説明する。図２０は、本発明の三番目の実施例の展開構造図である。図２０に示す実施例と図１２の実施例に比べて、構造が大体同じであり、相違点は、ロック機構が異なることである。図２０のロック機構の構造がより簡単である。このロック機構は図２１に示すように、その構造は前記第２テンプル６の上側や下側に、それぞれ内側へフック１０３（図の下側のフックが見えない）が延伸する。前記フック１０３のフック耳１０３１は全て外側に向かう。前記第１テンプル５の内壁に、第２テンプル６のフック１０３に対応する位置に、それぞれフックスロットまたはフック穴１０４を設ける。メガネが折りたたまれる時、前記フック１０３はちょうど前記フックスロットまたはフック穴１０４に掛けられる。使用時、矢印方向の通り、直接に内側へ第２テンプル６の側面を押す（プラスチックで作られる場合、この側面は一定の弾性を持つ）場合、前記フック耳１０３１とフックスロット／フック穴１０４が離れて、メガネを開く目的を達成する。
前記ロック機構１０（図示なし）を、前記第１テンプル５の上側や下側にそれぞれ内側へフック１０３が延伸するように設計できることは明らかである。前記フック１０３のフック耳１０３１は全て外側に向かう。前記第２テンプル６の内壁に、第１テンプル５のフック１０３に対応する位置に、それぞれフックスロットまたはフック穴１０４を設ける。メガネが折りたたまれる時、前記フック１０３はちょうど前記フックスロットまたはフック穴１０４に掛ける。直接に内側へ第１テンプル５の側面を押す時、前記フック耳１０３１とフックスロット／フック穴１０４が離れる。
【００１４】
図２２を参照して説明する。この図２２に示されているのは別のロック機構である。このロック機構１０の構造は、前記第２テンプル６の上側や下側にそれぞれ内側へフック１０３が延伸する。前記フック１０３のフック耳１０３１は全て内側に向かう。前記第１テンプル５の外壁に、第２テンプル６のフック１０３に対応する位置に、それぞれフックスロットまたはフック穴１０４を設ける。メガネが折りたたまれる時、前記フック１０３はちょうど前記フックスロットまたはフック穴１０４に掛ける。直接に内側へ第１テンプル５の側面（プラスチックで作られる場合、この側面は一定の弾性を持つ）を押す時、前記フック耳１０３１とフックスロット／フック穴１０４が離れる。
もちろん、前記ロック機構１０（図示なし）を、前記第２テンプル６の上側や下側にそれぞれ内側へフック１０３が延伸するように設計できることは明らかである。前記フック１０３のフック耳１０３１は全て外側に向かう。前記第１テンプル５の外壁に、第２テンプル６のフック１０３に対応する位置に、それぞれフックスロットまたはフック穴１０４を設ける。メガネが折りたたまれる時、前記フック１０３はちょうど前記フックスロットまたはフック穴１０４に掛けられる。矢印方向の通りで直接に内側へ第２テンプル６の側面を押す時、前記フック耳１０３１と前記フックスロット／フック穴１０４が離れる。
図２３と図２４を参照して説明する。図２３は本発明の別の実施例の展開構造図である。
図２４は図２３の別のロック機構の構造図である。図２３に示す実施例は、図１２の実施例に比べて、大体構造が同じ、相違点は、以下の通りである。即ち、第１テンプル５と第２テンプル６が薄片形（厚さが２〜４ｍｍ）であり、前記ロック機構１０の構造が、前記第２テンプル６の上側や下側にそれぞれ内側へフック１０３が延伸する。前記フック１０３のフック耳１０３１は全て内側に向かう。前記第１テンプル５の外側面に、前記フック１０３を押し開く押開機構４００を設ける。前記押開機構４００は、対称設置されている二つのアークレバー４１０を含む。アークレバー４１０の一方端が押開機構４２０であり、アークレバー４１０の他方端が押し部４３０である。アークレバー４１０の中部に支点４４０を設ける。支点４４０にピンまたはネジを使って、アークレバー４１０を第１テンプル５の外側面に可動接続する。メガネが折りたたまれる時、前記フック１０３のフック耳１０３１は前記第１テンプル５の外側面に掛けて、前記押開機構４２０に対応する。メガネを開く場合、手でアークレバー４１０の押し部４３０を押した後、アークレバー４１０の押開機構４２０がフック１０３を押し開き、メガネが自動的に弾きだす。押開機構４００を自動的にリセットするために、二つのアークレバー４１０の間において押開機構４２０近くの一方側にスプリング４５０を設け、スプリング４５０の両端をそれぞれ二つのアークレバー４１０に掛けるか、又は、二つのアークレバー４１０の間において押し部４３０近くの一方側にスプリング（図示なし）を置き、スプリングの両端をそれぞれ二つのアークレバー４１０に掛けることができる。押開機構４００を保護するために、前記押開機構４００の外側にカバー４６０を設けることができる。
ロック機構１０を、フック１０３が第１テンプル５に設けられ、押開機構４００が第２テンプル６に設けられる構成に設計できることが明らかであり、その効果は上述の実施形態と同様である。
上述の実施形態において、前記第１テンプル５及び第２テンプル６の先端に、掛けられるための掛孔３００を設けても良い。スーパーでの販売時、スペースを節約するために、この掛孔３００によりメガネを掛けることができる。使用時に、室内のフックにメガネを掛けてもよい。
上述の実施例は、本発明の好ましい例であるが、本発明を限定するためのものではない。本考案の実用新案登録請求の範囲に記載の特徴及び原理に従った等価の変更又は修正は、全て本発明の権利範囲に含まれる。
【図１】
0003181484.tif 000003
【図２】
0003181484.tif 000004
【図３】
0003181484.tif 000005
【図４】
0003181484.tif 000006
【図４Ａ】
0003181484.tif 000007
【図４Ｂ】
0003181484.tif 000008
【図４Ｃ】
0003181484.tif 000009
【図４Ｄ】
0003181484.tif 000010
【図５】
0003181484.tif 000011
【図６】
0003181484.tif 000012
【図７】
0003181484.tif 000013
【図８】
0003181484.tif 000014
【図９】
0003181484.tif 000015
【図１０】
0003181484.tif 000016
【図１１】
0003181484.tif 000017
【図１２】
0003181484.tif 000018
【図１３】
0003181484.tif 000019
【図１４】
0003181484.tif 000020
【図１５】
0003181484.tif 000021
【図１６】
0003181484.tif 000022
【図１７】
0003181484.tif 000023
【図１８】
0003181484.tif 000024
【図１９】
0003181484.tif 000025
【図２０】
0003181484.tif 000026
【図２１】
0003181484.tif 000027
【図２２】
0003181484.tif 000028
【図２３】
0003181484.tif 000029
【図２４】
0003181484.tif 000030
【手続補正書】
【提出日】平成24年7月6日(2012.7.6)
【手続補正１】
【補正対象書類名】実用新案登録請求の範囲
【補正対象項目名】全文
【補正方法】変更
【補正の内容】
【実用新案登録請求の範囲】
【請求項１】
第１レンズが設けられた第１メガネフレームと、第２レンズ、第１テンプル及び第２テンプルが設けられた第２メガネフレームとを備える自動的に開く折りたたみ式メガネであって、前記第１メガネフレームと第１テンプルは第１弾性部材を介して弾性接続され、前記第２メガネフレームと第２テンプルは第２弾性部材を介して弾性接続される自動的に開く折りたたみ式メガネにおいて、
ブリッジを更に含み、前記ブリッジは、前記第１メガネフレームと前記第２メガネフレームとの間に位置し、弾性の橋として機能する
ことを特徴とする自動的に開く折りたたみ式メガネ。
【請求項２】
請求項１に記載の自動的に開く折りたたみ式メガネにおいて、
前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、前記第１ブリッジコネクタに第１水平スロットを設け、前記第２ブリッジコネクタに第２水平スロットを設け、前記第１テンションスプリングは第１水平スロットに設け、第１テンションスプリングの内端では第１ブリッジコネクタと可動連結され、前記第２テンションスプリングは第２水平スロットに設けられ、第２テンションスプリングの内端が第２ブリッジコネクタと可動連結され、前記ミドルウェアは第１ブリッジコネクタと第２ブリッジコネクタの間にあり、前記ミドルウェアの両側に、それぞれメガネフレーム法線と垂直する第１接続穴と第２接続穴を設け、第１接続穴に第１接続ピンを設け、第１テンションスプリングの外端は第１接続ピンにつけられ、第２接続穴に第２接続ピンがもうけられ、第２テンションスプリングの外端は第２接続ピンにつけられ、ミドルウェアの両側が平面であり、ミドルウェアの２側面と隣接する側面が円弧面であり、第１接続穴又は第２接続穴から対応の円弧面までの半径が第１接続穴又は第２接続穴から対応の平面までの半径よりも大きく、メガネが完全に弾きだす場合、第１ブリッジコネクタ自由端の端面１とミドルウェアの一方側の平面と接触し、第１テンションスプリングが収縮状態であり、第２ブリッジコネクタ自由端の端面がミドルウェアの他方側の面と接触し、第２テンションスプリングが収縮状態であり、メガネが完全に折りたたまれた時、第１ブリッジコネクタ自由端の端面１とミドルウェアの一方側の円弧面と線接触し、第１テンションスプリングが拡張状態であり、第２ブリッジコネクタ自由端の端面がミドルウェアの他方側の円弧面と線接触し、第２テンションスプリングが拡張状態であり、第１テンプルと第２テンプルの間において、メガネが完全に折りたたまれた後のメガネ折りたたみ状態を維持するロック機構が上、下対称でそれぞれ設けられる
ことを特徴とする自動に開く折りたたみ式メガネ。
【請求項３】
請求項２に記載の自動的に開く折りたたみ式メガネにおいて、
前記第１水平スロットに第１スライダーが設けられ、第１スライダー外端に第１スライダー接続穴が設けられ、第１スライダーに第１横方向スルーホールが設けられ、第１テンションスプリングが第１横方向スルーホールを通し第１接続ピンにつけられ、第２水平スロットに第２スライダーが設けられ、第２スライダー外端に第２スライダー接続穴が設けられ、第２スライダーに第２横方向スルーホールが設けられ、第２テンションスプリングが第２横方向スルーホールを通し第２接続ピンにつけられる
ことを特徴とする自動的に開く折りたたみ式メガネ。
【請求項４】
請求項２に記載の自動的に開く折りたたみ式メガネにおいて、
前記第１ブリッジコネクタの内側に第１ノーズパッドが設けられ、第１ノーズパッドは第１スライダーと第１テンションスプリングをカバーし、第２ブリッジコネクタの内側に第２ノーズパッドが設けられ、第２ノーズパッドは第２スライダーと第２テンションスプリングをカバーする
ことを特徴とする自動に開く折りたたみ式メガネ。
【請求項５】
請求項１に記載の自動的に開く折りたたみ式メガネにおいて、
前記ブリッジは、第１ブリッジコネクタ、第２ブリッジコネクタ、第１テンションスプリング、第２テンションスプリング、及びミドルウェアを含み、前記第１ブリッジコネクタは第１上接続シートと第１下接続シートを含み、前記第１上接続シートと第１下接続シートが一定間隔を隔てて平行に前記第１第１メガネフレームの内側に固定され、前記第１上接続シートと第１下接続シートに第１ブリッジコネクタ枢設接続孔が設けられ、前記第１圧縮コイルバネを前記第１上接続シートと第１下接続シートの間に設け、第１圧縮コイルバネの内側端が第１第１メガネフレームとを固定接続され、第１圧縮コイルバネの外側端に第１上接続シートと第１下接続シートの間に可動の第１スライダーが設けられ、前記第２ブリッジコネクタは第２上接続シートと第２下接続シートを含み、前記第２上接続シートと第２下接続シートが一定間隔を隔てて平行に前記第１第２メガネフレームの内側に固定され、前記接続シートと第２下接続シートに第２ブリッジコネクタ枢設接続孔を設け、前記第２圧縮コイルバネを前記第２上接続シートと第２下接続シートの間に設け、第２圧縮コイルバネの内側端が第２メガネフレームとを固定接続され、第２圧縮コイルバネの外側端に第２上接続シートと第２下接続シートの間に摺動可能な第２スライダーを設け、前記ミドルウェアは前記第１ブリッジコネクタと第２ブリッジコネクタの間にあり、前記ミドルウェアの両側にメガネフレーム法線と垂直する第１枢設接続孔と第２枢設接続孔をそれぞれ設け、第１枢設接続孔に第１ブリッジコネクタとミドルウェアの第１かなめピンを設け、第２枢設接続孔に第２ブリッジコネクタとミドルウェアとを枢設接続される第２かなめピンを設け、前記ミドルウェアの両側が平面になり、両側面と隣接される側面は円弧面になり、第１枢設接続孔または第２枢設接続孔からその対応する円弧面までの半径が第１枢設接続孔または第２枢設接続孔からその対応する円弧面までの半径より大きく、前記メガネが完全に弾きだす時に、前記第１スライダーが前記ミドルウェアの側面と面接触し、前記第１圧縮コイルバネが伸長状態となり、前記第２スライダーが前記ミドルウェアの別の側面と面接触し、前記第２圧縮コイルバネが伸長状態とない、前記メガネが完全に折りたたまれる時に、前記第１スライダーが前記ミドルウェアの一方側の円弧面と線接触し、前記第１圧縮コイルバネが圧縮状態となり、前記第２スライダーが前記ミドルウェアの他方側の円弧面と線接触し、前記第２圧縮コイルバネが圧縮状態となり、前記第１テンプルが第２テンプルの間において、メガネを完全に折りたたまれた後でメガネ折りたたみ状態を維持するロック機構を上下対称に設ける
ことを特徴とする自動的に開く折りたたみ式メガネ。
【請求項６】
請求項５に記載の自動的に開く折りたたみ式メガネにおいて、
第１滑り片がミドルウェアと隣接する一方側に第１球欠が設けられ、ミドルウェアの第１球欠に対応する位置に第１凹面が設けられ、第２滑り片がミドルウェアと隣接する一方側に第２球欠が設けられ、ミドルウェアの第２球欠に対応する位置に第２凹面が設けられ、メガネが完全に開く時、第１球欠が第１凹面に当接し、第２球欠が第２凹面に当接する
ことを特徴とする自動に開く折りたたみ式メガネ。
【請求項７】
請求項１に記載の自動的に開く折りたたみ式メガネにおいて、
前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、先端面と隣接する側面が円弧面であり、第１ブリッジコネクタ自由端にメガネフレーム法線と垂直する第１ブリッジコネクタ枢設接続孔を設け、前記第１ブリッジコネクタ枢設接続孔からその対応する円弧面までの半径がその平面までの半径より大きく、前記第２ブリッジコネクタ自由端にメガネフレーム法線と垂直する第２ブリッジコネクタ枢設接続孔を設け、前記第２ブリッジコネクタ枢設接続孔からその対応する円弧面までの半径がその平面までの半径より大きく、前記ミドルウェアは前記第１ブリッジコネクタと第２ブリッジコネクタの間にあり、前記ミドルウェアに横スロットを設け、前記横スロットに水平方向の取付状態での圧縮バネを設け、その圧縮バネの両側に第１スライダーと第２スライダーをそれぞれ設け、前記ミドルウェアの両側にメガネフレーム法線と垂直する第１枢設接続孔と第２枢設接続孔を設け、第１枢設接続孔にミドルウェアと第１ブリッジコネクタを枢設接続する第１かなめピンを設け、第２枢設接続孔にミドルウェアと第２ブリッジコネクタを枢設接続する第２かなめピンを設け、前記メガネが完全に弾きだす場合には、前記第１ブリッジコネクタ自由端の平面が前記第１スライダーと面接触し、前記第２ブリッジコネクタ自由端の平面が前記第２スライダーと面接触し、前記水平方向の取付状態での圧縮バネが伸長状態となり、前記メガネが完全に折りたたまれる場合には、前記第１ブリッジコネクタ自由端の円弧面が前記第１スライダーと線接触し、前記第２ブリッジコネクタ自由端の円弧面が前記第２スライダーと線接触し、前記水平方向の取付状態での圧縮バネが圧縮状態となり、前記第１テンプルが第２テンプルの間において、メガネを完全に折りたたまれた後でメガネ折りたたみ状態を維持するロック機構を上下対称に設ける
ことを特徴とする自動的に開く折りたたみ式メガネ。
【請求項８】
請求項７に記載の自動的に開く折りたたみ式メガネにおいて、
第１滑り片の外側に第１球欠があり、第１ブリッジコネクタの第１球欠に対応する位置に、第１凹面があり、第２滑り片の外側に第２球欠があり、第２ブリッジコネクタの第２球欠に対応する位置に、第２凹面があり、メガネが完全に開く時、第１球欠が第１凹面に当接し、第２球欠が第２凹面に当接する
ことを特徴とする自動に開く折りたたみ式メガネ。
【手続補正書】
【提出日】平成24年11月27日(2012.11.27)
【手続補正１】
【補正対象書類名】実用新案登録請求の範囲
【補正対象項目名】全文
【補正方法】変更
【補正の内容】
【実用新案登録請求の範囲】
【請求項１】
第１レンズが設けられた第１メガネフレームと、第２レンズが設けられた第２メガネフレームと、第１テンプル及び第２テンプルとを備える自動的に開く折りたたみ式メガネであって、前記第１メガネフレームと第１テンプルは第１弾性部材を介して弾性接続され、前記第２メガネフレームと第２テンプルは第２弾性部材を介して弾性接続される自動的に開く折りたたみ式メガネにおいて、
ブリッジを更に含み、前記ブリッジは、前記第１メガネフレームと前記第２メガネフレームとの間に位置し、弾性の橋として機能する
ことを特徴とする自動的に開く折りたたみ式メガネ。
【請求項２】
請求項１に記載の自動的に開く折りたたみ式メガネにおいて、
前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、前記第１ブリッジコネクタに第１水平スロットを設け、前記第２ブリッジコネクタに第２水平スロットを設け、前記第１テンションスプリングは第１水平スロットに設け、第１テンションスプリングの内端では第１ブリッジコネクタと可動連結され、前記第２テンションスプリングは第２水平スロットに設けられ、第２テンションスプリングの内端が第２ブリッジコネクタと可動連結され、前記ミドルウェアは第１ブリッジコネクタと第２ブリッジコネクタの間にあり、前記ミドルウェアの両側に、それぞれメガネフレーム法線と垂直する第１接続穴と第２接続穴を設け、第１接続穴に第１接続ピンを設け、第１テンションスプリングの外端は第１接続ピンにつけられ、第２接続穴に第２接続ピンがもうけられ、第２テンションスプリングの外端は第２接続ピンにつけられ、ミドルウェアの両側が平面であり、ミドルウェアの２側面と隣接する側面が円弧面であり、第１接続穴又は第２接続穴から対応の円弧面までの半径が第１接続穴又は第２接続穴から対応の平面までの半径よりも大きく、メガネが完全に弾きだす場合、第１ブリッジコネクタ自由端の端面１とミドルウェアの一方側の平面と接触し、第１テンションスプリングが収縮状態であり、第２ブリッジコネクタ自由端の端面がミドルウェアの他方側の面と接触し、第２テンションス
プリングが収縮状態であり、メガネが完全に折りたたまれた時、第１ブリッジコネクタ自由端の端面１とミドルウェアの一方側の円弧面と線接触し、第１テンションスプリングが拡張状態であり、第２ブリッジコネクタ自由端の端面がミドルウェアの他方側の円弧面と線接触し、第２テンションスプリングが拡張状態であり、第１テンプルと第２テンプルの間において、メガネが完全に折りたたまれた後のメガネ折りたたみ状態を維持するロック機構が上、下対称でそれぞれ設けられる
ことを特徴とする自動に開く折りたたみ式メガネ。
【請求項３】
請求項２に記載の自動的に開く折りたたみ式メガネにおいて、
前記第１水平スロットに第１スライダーが設けられ、第１スライダー外端に第１スライダー接続穴が設けられ、第１スライダーに第１横方向スルーホールが設けられ、第１テンションスプリングが第１横方向スルーホールを通し第１接続ピンにつけられ、第２水平スロットに第２スライダーが設けられ、第２スライダー外端に第２スライダー接続穴が設けられ、第２スライダーに第２横方向スルーホールが設けられ、第２テンションスプリングが第２横方向スルーホールを通し第２接続ピンにつけられる
ことを特徴とする自動的に開く折りたたみ式メガネ。
【請求項４】
請求項２に記載の自動的に開く折りたたみ式メガネにおいて、
前記第１ブリッジコネクタの内側に第１ノーズパッドが設けられ、第１ノーズパッドは第１スライダーと第１テンションスプリングをカバーし、第２ブリッジコネクタの内側に第２ノーズパッドが設けられ、第２ノーズパッドは第２スライダーと第２テンションスプリングをカバーする
ことを特徴とする自動に開く折りたたみ式メガネ。
【請求項５】
請求項１に記載の自動的に開く折りたたみ式メガネにおいて、
前記ブリッジは、第１ブリッジコネクタ、第２ブリッジコネクタ、第１テンションスプリング、第２テンションスプリング、及びミドルウェアを含み、前記第１ブリッジコネクタは第１上接続シートと第１下接続シートを含み、前記第１上接続シートと第１下接続シートが一定間隔を隔てて平行に前記第１第１メガネフレームの内側に固定され、前記第１上接続シートと第１下接続シートに第１ブリッジコネクタ枢設接続孔が設けられ、前記第１圧縮コイルバネを前記第１上接続シートと第１下接続シートの間に設け、第１圧縮コイルバネの内側端が第１第１メガネフレームとを固定接続され、第１圧縮コイルバネの外側端に第１上接続シートと第１下接続シートの間に可動の第１スライダーが設けられ、前記第２ブリッジコネクタは第２上接続シートと第２下接続シートを含み、前記第２上接続シートと第２下接続シートが一定間隔を隔てて平行に前記第１第２メガネフレームの内側に固定され、前記接続シートと第２下接続シートに第２ブリッジコネクタ枢設接続孔を設け、前記第２圧縮コイルバネを前記第２上接続シートと第２下接続シートの間に設け、第２圧縮コイルバネの内側端が第２メガネフレームとを固定接続され、第２圧縮コイルバネの外側端に第２上接続シートと第２下接続シートの間に摺動可能な第２スライダーを設け、前記ミドルウェアは前記第１ブリッジコネクタと第２ブリッジコネクタの間にあり、前記ミドルウェアの両側にメガネフレーム法線と垂直する第１枢設接続孔と第２枢設接続孔をそれぞれ設け、第１枢設接続孔に第１ブリッジコネクタとミドルウェアの第１かなめピンを設け、第２枢設接続孔に第２ブリッジコネクタとミドルウェアとを枢設接続される第２かなめピンを設け、前記ミドルウェアの両側が平面になり、両側面と隣接される側面は円弧面になり、第１枢設接続孔または第２枢設接続孔からその対応する円弧面までの半径が第１枢設接続孔または第２枢設接続孔からその対応する円弧面までの半径より大きく、前記メガネが完全に弾きだす時に、前記第１スライダーが前記ミドルウェアの側面と面接触し、前記第１圧縮コイルバネが伸長状態となり、前記第２スライダーが前記ミドルウェアの別の側面と面接触し、前記第２圧縮コイルバネが伸長状態とない、前記メガネが完全に折りたたまれる時に、前記第１スライダーが前記ミドルウェアの一方側の円弧面と線接触
し、前記第１圧縮コイルバネが圧縮状態となり、前記第２スライダーが前記ミドルウェアの他方側の円弧面と線接触し、前記第２圧縮コイルバネが圧縮状態となり、前記第１テンプルが第２テンプルの間において、メガネを完全に折りたたまれた後でメガネ折りたたみ状態を維持するロック機構を上下対称に設ける
ことを特徴とする自動的に開く折りたたみ式メガネ。
【請求項６】
請求項５に記載の自動的に開く折りたたみ式メガネにおいて、
第１滑り片がミドルウェアと隣接する一方側に第１球欠が設けられ、ミドルウェアの第１球欠に対応する位置に第１凹面が設けられ、第２滑り片がミドルウェアと隣接する一方側に第２球欠が設けられ、ミドルウェアの第２球欠に対応する位置に第２凹面が設けられ、メガネが完全に開く時、第１球欠が第１凹面に当接し、第２球欠が第２凹面に当接する
ことを特徴とする自動に開く折りたたみ式メガネ。
【請求項７】
請求項１に記載の自動的に開く折りたたみ式メガネにおいて、
前記ブリッジは、第１ブリッジコネクタ、第２ブリッジコネクタ、第１テンションスプリング、第２テンションスプリング、及びミドルウェアを含み、前記第１ブリッジコネクタと第２ブリッジコネクタがそれぞれ第１メガネフレームと第２メガネフレームの内側に固定され、それぞれ第１ブリッジコネクタ自由端と第２ブリッジコネクタ自由端を備え、前記第１ブリッジコネクタ自由端と第２ブリッジコネクタ自由端の端面は全て平面であり、先端面と隣接する側面が円弧面であり、第１ブリッジコネクタ自由端にメガネフレーム法線と垂直する第１ブリッジコネクタ枢設接続孔を設け、前記第１ブリッジコネクタ枢設接続孔からその対応する円弧面までの半径がその平面までの半径より大きく、前記第２ブリッジコネクタ自由端にメガネフレーム法線と垂直する第２ブリッジコネクタ枢設接続孔を設け、前記第２ブリッジコネクタ枢設接続孔からその対応する円弧面までの半径がその平面までの半径より大きく、前記ミドルウェアは前記第１ブリッジコネクタと第２ブリッジコネクタの間にあり、前記ミドルウェアに横スロットを設け、前記横スロットに水平方向の取付状態での圧縮バネを設け、その圧縮バネの両側に第１スライダーと第２スライダーをそれぞれ設け、前記ミドルウェアの両側にメガネフレーム法線と垂直する第１枢設接続孔と第２枢設接続孔を設け、第１枢設接続孔にミドルウェアと第１ブリッジコネクタを枢設接続する第１かなめピンを設け、第２枢設接続孔にミドルウェアと第２ブリッジコネクタを枢設接続する第２かなめピンを設け、前記メガネが完全に弾きだす場合には、前記第１ブリッジコネクタ自由端の平面が前記第１スライダーと面接触し、前記第２ブリッジコネクタ自由端の平面が前記第２スライダーと面接触し、前記水平方向の取付状態での圧縮バネが伸長状態となり、前記メガネが完全に折りたたまれる場合には、前記第１ブリッジコネクタ自由端の円弧面が前記第１スライダーと線接触し、前記第２ブリッジコネクタ自由端の円弧面が前記第２スライダーと線接触し、前記水平方向の取付状態での圧縮バネが圧縮状態となり、前記第１テンプルが第２テンプルの間において、メガネを完全に折りたたまれた後でメガネ折りたたみ状態を維持するロック機構を上下対称に設ける
ことを特徴とする自動的に開く折りたたみ式メガネ。
【請求項８】
請求項７に記載の自動的に開く折りたたみ式メガネにおいて、
第１滑り片の外側に第１球欠があり、第１ブリッジコネクタの第１球欠に対応する位置に、第１凹面があり、第２滑り片の外側に第２球欠があり、第２ブリッジコネクタの第２球欠に対応する位置に、第２凹面があり、メガネが完全に開く時、第１球欠が第１凹面に当接し、第２球欠が第２凹面に当接する
ことを特徴とする自動に開く折りたたみ式メガネ。